(57)【特許請求の範囲】
【請求項１】
複数の絶縁体層が積層方向に積層されている積層体と、
前記絶縁体層上に設けられているｎ個（ｎは自然数）の１次コイル導体層及び１つの直列１次コイル導体層を含む１次コイルと、
前記絶縁体層上に設けられているｎ個の２次コイル導体層を含む２次コイルと、
前記絶縁体層上に設けられているｎ個の３次コイル導体層を含む３次コイルと、
を備えており、
前記１次コイル、前記２次コイル及び前記３次コイルは、コモンモードフィルタを構成しており、
前記１次コイル導体層、前記２次コイル導体層及び前記３次コイル導体層が１つずつ前記積層方向の一方側から他方側へとこの順に並ぶことにより１つのコイル導体層群が構成されており、
ｎ個の前記コイル導体層群が前記積層方向の一方側から他方側へと並んでおり、
前記直列１次コイル導体層は、前記ｎ個の１次コイル導体層に対して電気的に直列に接続されており、かつ、前記積層方向の最も他方側に設けられている前記３次コイル導体層に対して該積層方向の他方側に設けられており、
前記直列１次コイル導体層の巻き数と前記ｎ個の１次コイル導体層の内の所定の１次コイル導体層の巻き数との和は、前記ｎ個の１次コイル導体層の内の所定の１次コイル導体層を除く前記１次コイル導体層の巻き数と等しいこと、
を特徴とする電子部品。
【請求項２】
前記ｎ個の１次コイル導体層は、第１の１次コイル導体層ないし第ｎの１次コイル導体層を含み、
前記第１の１次コイル導体層ないし前記第ｎの１次コイル導体層及び前記直列１次コイル導体層は、前記積層方向の一方側から他方側へとこの順に並ぶと共に、この順に電気的に直列に接続されていること、
を特徴とする請求項１に記載の電子部品。
【請求項３】
前記ｎ個の１次コイル導体層、前記ｎ個の２次コイル導体層、前記ｎ個の３次コイル導体層及び前記直列１次コイル導体層は、前記積層方向の一方側から見たときに、径方向に隣り合う線の距離が等しい渦巻状をなしており、
前記所定の１次コイル導体層の巻き数は、前記積層方向から見たときに、該所定の１次コイル導体層と該積層方向に隣り合う前記２次コイル導体層の巻き数の半分であり、
前記直列１次コイル導体層の巻き数は、前記積層方向から見たときに、前記ｎ個の３次コイル導体層の内の該積層方向の最も他方側に位置する前記３次コイル導体層の巻き数の半分であり、
前記所定の１次コイル導体層の最も外周側を周回している部分と最も内周側を周回している部分との中間線と、該所定の１次コイル導体層と前記積層方向に隣り合う前記２次コイル導体層の最も外周側を周回している部分と最も内周側を周回している部分との中間線とは、前記積層方向から見たときに、少なくとも一部において互いに重なっており、
前記直列１次コイル導体層の最も外周側を周回している部分と最も内周側を周回している部分との中間線と、前記ｎ個の３次コイル導体層の内の該積層方向の最も他方側に位置する前記３次コイル導体層の最も外周側を周回している部分と最も内周側を周回している部分との中間線とは、前記積層方向から見たときに、少なくとも一部において互いに重なっていること、
を特徴とする請求項１又は請求項２のいずれかに記載の電子部品。
【請求項４】
前記ｎ個の１次コイル導体層、前記ｎ個の２次コイル導体層、前記ｎ個の３次コイル導体層及び前記直列１次コイル導体層は、前記積層方向の一方側から見たときに、径方向に隣り合う線の距離が等しい渦巻状をなしており、
前記所定の１次コイル導体層の最も外周側を周回している部分と、該１次コイル導体層と該積層方向に隣り合う前記２次コイル導体層の内の最も外周側を周回している部分とは、前記積層方向から見たときに、少なくとも一部において互いに重なっており、
前記直列１次コイル導体層の最も内周側を周回している部分と、前記ｎ個の３次コイル導体層の内の該積層方向の最も他方側に位置する前記３次コイル導体層の最も内周側を周回している部分とは、該積層方向から見たときに、少なくとも一部において互いに重なっていること、
を特徴とする請求項１又は請求項２のいずれかに記載の電子部品。
【請求項５】
前記ｎ個の１次コイル導体層、前記ｎ個の２次コイル導体層、前記ｎ個の３次コイル導体層及び前記直列１次コイル導体層は、前記積層方向の一方側から見たときに、径方向に隣り合う線の距離が等しい渦巻状をなしており、
前記所定の１次コイル導体層の最も内周側を周回している部分と、該１次コイル導体層と該積層方向に隣り合う前記２次コイル導体層の内の最も内周側を周回している部分とは、前記積層方向から見たときに、少なくとも一部において互いに重なっており、
前記直列１次コイル導体層の最も外周側を周回している部分と、前記ｎ個の３次コイル導体層の内の該積層方向の最も他方側に位置する前記３次コイル導体層の最も外周側を周回している部分とは、該積層方向から見たときに、少なくとも一部において互いに重なっていること、
を特徴とする請求項１又は請求項２のいずれかに記載の電子部品。
【請求項６】
前記所定の１次コイル導体層が設けられている前記絶縁体層上に設けられているダミー導体層であって、該所定の１次コイル導体層と前記積層方向に隣り合う前記２次コイル導体層において、前記所定の１次コイル導体層と重なっていない部分の少なくとも一部と重なるダミー導体層を、
更に備えており、
前記ダミー導体層は、前記ｎ個の１次コイル導体層、前記ｎ個の２次コイル導体層、前記ｎ個の３次コイル導体層及び前記直列１次コイル導体層には電気的に接続されておらず、
前記直列１次コイル導体層の巻き数と前記ｎ個の１次コイル導体層の内の所定の１次コイル導体層の巻き数との和は、前記ｎ個の１次コイル導体層の内の所定の１次コイル導体層を除く前記１次コイル導体層の巻き数と等しいこと、
を特徴とする請求項１ないし請求項５のいずれかに記載の電子部品。
【請求項７】
前記ｎ個の１次コイル導体層は、前記積層方向の一方側から見たときに、渦巻状をなしており、
前記所定の１次コイル導体層の巻き数と、前記直列１次コイル導体層の巻き数とが実質的に等しいこと、
を特徴とする請求項１ないし請求項６のいずれかに記載の電子部品。
【請求項８】
複数の絶縁体層が積層方向に積層されている積層体と、
前記絶縁体層上に設けられているｎ個（ｎは自然数）の１次コイル導体層及び１つの直列１次コイル導体層を含む１次コイルと、
前記絶縁体層上に設けられているｎ個の２次コイル導体層を含む２次コイルと、
前記絶縁体層上に設けられているｎ個の３次コイル導体層を含む３次コイルと、
を備えており、
前記１次コイル、前記２次コイル及び前記３次コイルは、コモンモードフィルタを構成しており、
前記１次コイル導体層、前記２次コイル導体層及び前記３次コイル導体層が１つずつ前記積層方向の一方側から他方側へとこの順に並ぶことにより１つのコイル導体層群が構成されており、
ｎ個の前記コイル導体層群が前記積層方向の一方側から他方側へと並んでおり、
前記直列１次コイル導体層は、前記ｎ個の１次コイル導体層に対して電気的に直列に接続されており、かつ、前記積層方向の最も他方側に設けられている前記３次コイル導体層に対して該積層方向の他方側に設けられており、
ｎは３以上の奇数であり、
前記ｎ個の１次コイル導体層は、第１の１次コイル導体層ないし第ｎの１次コイル導体層を含み、
第ｍ（ｍは、１以上ｎ以下の奇数の全て）の１次コイル導体層は、前記積層方向の一方側から見たときに所定方向に周回しながら外周側から内周側に向かう渦巻状をなしており、
第ｋ（ｋは、２以上ｎ−１以下の偶数の全て）の１次コイル導体層及び前記直列１次コイル導体層は、前記積層方向の一方側から見たときに前記所定方向に周回しながら内周側から外周側に向かう渦巻状をなしており、
前記第１の１次コイル導体層ないし前記第ｎの１次コイル導体層及び前記直列１次コイル導体層は、この順に電気的に直列に接続されていること、
を特徴とする電子部品。
【請求項９】
前記ｎ個の２次コイル導体層は、第１の２次コイル導体層ないし第ｎの２次コイル導体層を含み、
第ｍ（ｍは、１以上ｎ以下の奇数の全て）の２次コイル導体層は、前記積層方向の一方側から見たときに前記所定方向に周回しながら外周側から内周側に向かう渦巻状をなしており、
第ｋ（ｋは、２以上ｎ−１以下の偶数の全て）の２次コイル導体層は、前記積層方向の一方側から見たときに前記所定方向に周回しながら内周側から外周側に向かう渦巻状をなしており、
前記第１の２次コイル導体層ないし前記第ｎの２次コイル導体層は、この順に電気的に直列に接続され、
前記ｎ個の３次コイル導体層は、第１の３次コイル導体層ないし第ｎの３次コイル導体層を含み、
第ｍ（ｍは、１以上ｎ以下の奇数の全て）の３次コイル導体層は、前記積層方向の一方側から見たときに前記所定方向に周回しながら外周側から内周側に向かう渦巻状をなしており、
第ｋ（ｋは、２以上ｎ−１以下の偶数の全て）の３次コイル導体層は、前記積層方向の一方側から見たときに前記所定方向に周回しながら内周側から外周側に向かう渦巻状をなしており、
前記第１の３次コイル導体層ないし前記第ｎの３次コイル導体層は、この順に電気的に直列に接続され、
前記電子部品は、
第１の外部電極と、
前記直列１次コイル導体層の外周側の端部と前記第１の外部電極とを電気的に接続する第１の引き出し部と、
第２の外部電極と、
前記第ｎの２次コイル導体層の内周側の端部と前記第２の外部電極とを電気的に接続する第２の引き出し部と、
第３の外部電極と、
前記第ｎの３次コイル導体層の内周側の端部と前記第３の外部電極とを電気的に接続する第３の引き出し部と、
を更に備えており、
前記第２の引き出し部は、前記積層方向から見たときに、該直列１次コイル導体層と一部において重なる第１の引き出し導体層を含んでおり、
前記第３の引き出し部は、前記積層方向から見たときに、該直列１次コイル導体層と一部において重なる第２の引き出し導体層を含んでいること、
を特徴とする請求項８に記載の電子部品。
【請求項１０】
前記ｎ個の２次コイル導体層は、第１の２次コイル導体層ないし第ｎの２次コイル導体層を含み、
第ｍ（ｍは、１以上ｎ以下の奇数の全て）の２次コイル導体層は、前記積層方向の一方側から見たときに前記所定方向に周回しながら外周側から内周側に向かう渦巻状をなしており、
第ｋ（ｋは、２以上ｎ−１以下の偶数の全て）の２次コイル導体層は、前記積層方向の一方側から見たときに前記所定方向に周回しながら内周側から外周側に向かう渦巻状をなしており、
前記第１の２次コイル導体層ないし前記第ｎの２次コイル導体層は、この順に電気的に直列に接続され、
前記ｎ個の３次コイル導体層は、第１の３次コイル導体層ないし第ｎの３次コイル導体層を含み、
第ｍ（ｍは、１以上ｎ以下の奇数の全て）の３次コイル導体層は、前記積層方向の一方側から見たときに前記所定方向に周回しながら外周側から内周側に向かう渦巻状をなしており、
第ｋ（ｋは、２以上ｎ−１以下の偶数の全て）の３次コイル導体層は、前記積層方向の一方側から見たときに前記所定方向に周回しながら内周側から外周側に向かう渦巻状をなしており、
前記第１の３次コイル導体層ないし前記第ｎの３次コイル導体層は、この順に電気的に直列に接続され、
前記電子部品は、
第１の外部電極と、
前記直列１次コイル導体層の外周側の端部と前記第１の外部電極とを電気的に接続する第１の引き出し部と、
第２の外部電極と、
前記第ｎの２次コイル導体層の内周側の端部と前記第２の外部電極とを電気的に接続する第２の引き出し部と、
第３の外部電極と、
前記第ｎの３次コイル導体層の内周側の端部と前記第３の外部電極とを電気的に接続する第３の引き出し部と、
を更に備えており、
前記第２の引き出し部は、前記直列１次コイル導体層が設けられている前記絶縁体層上に設けられ、前記積層方向から見たときに、該直列１次コイル導体層の外周側に設けられている第１の引き出し導体層を含んでおり、
前記第３の引き出し部は、前記直列１次コイル導体層が設けられている前記絶縁体層上に設けられ、前記積層方向から見たときに、該直列１次コイル導体層の外周側に設けられている第２の引き出し導体層を含んでいること、
を特徴とする請求項８に記載の電子部品。
【請求項１１】
複数の絶縁体層が積層方向に積層されている積層体と、
前記絶縁体層上に設けられているｎ個（ｎは自然数）の１次コイル導体層及び１つの直列１次コイル導体層を含む１次コイルと、
前記絶縁体層上に設けられているｎ個の２次コイル導体層を含む２次コイルと、
前記絶縁体層上に設けられているｎ個の３次コイル導体層を含む３次コイルと、
を備えており、
前記１次コイル、前記２次コイル及び前記３次コイルは、コモンモードフィルタを構成しており、
前記１次コイル導体層、前記２次コイル導体層及び前記３次コイル導体層が１つずつ前記積層方向の一方側から他方側へとこの順に並ぶことにより１つのコイル導体層群が構成されており、
ｎ個の前記コイル導体層群が前記積層方向の一方側から他方側へと並んでおり、
前記直列１次コイル導体層は、前記ｎ個の１次コイル導体層に対して電気的に直列に接続されており、かつ、前記積層方向の最も他方側に設けられている前記３次コイル導体層に対して該積層方向の他方側に設けられており、
前記ｎ個の１次コイル導体層の断面積、前記直列１次コイル導体層の断面積、前記ｎ個の２次コイル導体層の断面積、及び、前記ｎ個の３次コイル導体層の断面積は、実質的に等しいこと、
を特徴とする電子部品。
【請求項１２】
複数の絶縁体層が積層方向に積層されている積層体と、
前記絶縁体層上に設けられているｎ個（ｎは自然数）の１次コイル導体層及び１つの直列１次コイル導体層を含む１次コイルと、
前記絶縁体層上に設けられているｎ個の２次コイル導体層を含む２次コイルと、
前記絶縁体層上に設けられているｎ個の３次コイル導体層を含む３次コイルと、
を備えており、
前記１次コイル、前記２次コイル及び前記３次コイルは、コモンモードフィルタを構成しており、
前記１次コイル導体層、前記２次コイル導体層及び前記３次コイル導体層が１つずつ前記積層方向の一方側から他方側へとこの順に並ぶことにより１つのコイル導体層群が構成されており、
ｎ個の前記コイル導体層群が前記積層方向の一方側から他方側へと並んでおり、
前記直列１次コイル導体層は、前記ｎ個の１次コイル導体層に対して電気的に直列に接続されており、かつ、前記積層方向の最も他方側に設けられている前記３次コイル導体層に対して該積層方向の他方側に設けられており、
前記積層方向から見たときに、前記ｎ個の１次コイル導体層の内方の領域、前記１つの直列１次コイル導体層の内方の領域、前記ｎ個の２次コイル導体層の内方の領域、及び前記ｎ個の３次コイル導体層の内方の領域は、互いに少なくとも部分的に重なり合っていること、
を特徴とする電子部品。
【請求項１３】
前記ｎ個の１次コイル導体層、前記ｎ個の２次コイル導体層、前記ｎ個の３次コイル導体層及び前記直列１次コイル導体層の隣り合うもの同士の前記積層方向の間隔は、実質的に等しいこと、
を特徴とする請求項１ないし請求項１２のいずれかに記載の電子部品。
【発明の詳細な説明】
【技術分野】
【０００１】
本発明は、コモンモードフィルタを備えた電子部品に関する。
【背景技術】
【０００２】
従来のコモンモードフィルタに関する発明としては、例えば、特許文献１に記載のコモンモードチョークコイルが知られている。図３０は、特許文献１に記載のコモンモードチョークコイル５１０の断面構造図である。以下では、図３０の上下方向を単に上下方向と呼ぶ。
【０００３】
コモンモードチョークコイル５１０は、積層体５１２、コイル５１４，５１６，５１８を備えている。コイル５１４，５１６，５１８は、上側から見たときに、時計回りに周回しながら外周側から内周側へと向かう渦巻状をなしており、互いに重なり合っている。また、コイル５１８は、コイル５１４とコイル５１６とにより上下両側から挟まれている。このようなコモンモードチョークコイル５１０では、コイル５１４，５１６に高周波信号が伝送され、コイル５１８に接地電位が接続される。
【先行技術文献】
【特許文献】
【０００４】
【特許文献１】特許第４２０９８５１号公報
【発明の概要】
【発明が解決しようとする課題】
【０００５】
ところで、特許文献１に記載のコモンモードチョークコイル５１０では、以下に説明するように、コイル５１４，５１６，５１８間の差動インピーダンスに差異が生じる。
【０００６】
図３０に示すように、コイル５１４とコイル５１８とが対向し、コイル５１６とコイル５１８とが対向している。一方、コイル５１４とコイル５１６との間にはコイル５１８が存在している。そのため、コイル５１４とコイル５１６との間隔は、コイル５１４とコイル５１８との間隔及びコイル５１６とコイル５１８との間隔に比べて大きい。そのため、コイル５１４とコイル５１６との間に発生する容量は、コイル５１４とコイル５１８との間に発生する容量及びコイル５１６とコイル５１８との間に発生する容量よりも小さくなる。その結果、コイル５１４とコイル５１６との間の差動インピーダンスは、コイル５１４とコイル５１８との間の差動インピーダンス及びコイル５１６とコイル５１８との間の差動インピーダンスよりも大きくなる。
【０００７】
一方、コイル同士の間隔から、コイル５１４とコイル５１８との間の差動インピーダンスとコイル５１６とコイル５１８との間の差動インピーダンスとは等しい。そのため、前記の通り、コイル５１４，５１６に高周波信号として差動信号が伝送され、コイル５１８に接地電位が接続された場合には、差動信号の波形が崩れる可能性は低く、従来技術においては、前記差動インピーダンスの差は問題と認識されていなかった。
【０００８】
これに対し、本願発明者は、コモンモードチョークコイル５１０のコイル５１４，５１６，５１８のそれぞれに高周波信号を伝送し、３つの高周波信号からコモンモードノイズを除去することを検討した。しかしながら、コイル５１４とコイル５１６との間の差動インピーダンスは、コイル５１４とコイル５１８との間の差動インピーダンス及びコイル５１６とコイル５１８との間の差動インピーダンスよりも大きくなる。そのため、例えば、３つの高周波信号の差分をとった差動信号を考慮すると、コモンモードチョークコイル５１０の通過後に差動信号の波形に乱れが生じる。
【０００９】
そこで、本発明の目的は、３つのコイルを備えたコモンモードフィルタにおいて、各コイル間の差動インピーダンスの差異を低減することである。
【課題を解決するための手段】
【００１０】
本発明の第１の形態に係る電子部品は、複数の絶縁体層が積層方向に積層されている積層体と、前記絶縁体層上に設けられているｎ個（ｎは自然数）の１次コイル導体層及び１つの直列１次コイル導体層を含む１次コイルと、前記絶縁体層上に設けられているｎ個の２次コイル導体層を含む２次コイルと、前記絶縁体層上に設けられているｎ個の３次コイル導体層を含む３次コイルと、を備えており、前記１次コイル、前記２次コイル及び前記３次コイルは、コモンモードフィルタを構成しており、前記１次コイル導体層、前記２次コイル導体層及び前記３次コイル導体層が１つずつ前記積層方向の一方側から他方側へとこの順に並ぶことにより１つのコイル導体層群が構成されており、ｎ個の前記コイル導体層群が前記積層方向の一方側から他方側へと並んでおり、前記直列１次コイル導体層は、前記ｎ個の１次コイル導体層に対して電気的に直列に接続されており、かつ、前記積層方向の最も他方側に設けられている前記３次コイル導体層に対して該積層方向の他方側に設けられており、前記直列１次コイル導体層の巻き数と前記ｎ個の１次コイル導体層の内の所定の１次コイル導体層の巻き数との和は、前記ｎ個の１次コイル導体層の内の所定の１次コイル導体層を除く前記１次コイル導体層の巻き数と等しいこと、を特徴とする。
本発明の第２の形態に係る電子部品は、複数の絶縁体層が積層方向に積層されている積層体と、前記絶縁体層上に設けられているｎ個（ｎは自然数）の１次コイル導体層及び１つの直列１次コイル導体層を含む１次コイルと、前記絶縁体層上に設けられているｎ個の２次コイル導体層を含む２次コイルと、前記絶縁体層上に設けられているｎ個の３次コイル導体層を含む３次コイルと、を備えており、前記１次コイル、前記２次コイル及び前記３次コイルは、コモンモードフィルタを構成しており、前記１次コイル導体層、前記２次コイル導体層及び前記３次コイル導体層が１つずつ前記積層方向の一方側から他方側へとこの順に並ぶことにより１つのコイル導体層群が構成されており、ｎ個の前記コイル導体層群が前記積層方向の一方側から他方側へと並んでおり、前記直列１次コイル導体層は、前記ｎ個の１次コイル導体層に対して電気的に直列に接続されており、かつ、前記積層方向の最も他方側に設けられている前記３次コイル導体層に対して該積層方向の他方側に設けられており、ｎは３以上の奇数であり、前記ｎ個の１次コイル導体層は、第１の１次コイル導体層ないし第ｎの１次コイル導体層を含み、第ｍ（ｍは、１以上ｎ以下の奇数の全て）の１次コイル導体層は、前記積層方向の一方側から見たときに所定方向に周回しながら外周側から内周側に向かう渦巻状をなしており、第ｋ（ｋは、２以上ｎ−１以下の偶数の全て）の１次コイル導体層及び前記直列１次コイル導体層は、前記積層方向の一方側から見たときに前記所定方向に周回しながら内周側から外周側に向かう渦巻状をなしており、前記第１の１次コイル導体層ないし前記第ｎの１次コイル導体層及び前記直列１次コイル導体層は、この順に電気的に直列に接続されていること、を特徴とする。
本発明の第３の形態に係る電子部品は、複数の絶縁体層が積層方向に積層されている積層体と、前記絶縁体層上に設けられているｎ個（ｎは自然数）の１次コイル導体層及び１つの直列１次コイル導体層を含む１次コイルと、前記絶縁体層上に設けられているｎ個の２次コイル導体層を含む２次コイルと、前記絶縁体層上に設けられているｎ個の３次コイル導体層を含む３次コイルと、を備えており、前記１次コイル、前記２次コイル及び前記３次コイルは、コモンモードフィルタを構成しており、前記１次コイル導体層、前記２次コイル導体層及び前記３次コイル導体層が１つずつ前記積層方向の一方側から他方側へとこの順に並ぶことにより１つのコイル導体層群が構成されており、ｎ個の前記コイル導体層群が前記積層方向の一方側から他方側へと並んでおり、前記直列１次コイル導体層は、前記ｎ個の１次コイル導体層に対して電気的に直列に接続されており、かつ、前記積層方向の最も他方側に設けられている前記３次コイル導体層に対して該積層方向の他方側に設けられており、前記ｎ個の１次コイル導体層の断面積、前記直列１次コイル導体層の断面積、前記ｎ個の２次コイル導体層の断面積、及び、前記ｎ個の３次コイル導体層の断面積は、実質的に等しいこと、を特徴とする。
本発明の第４の形態に係る電子部品は、複数の絶縁体層が積層方向に積層されている積層体と、前記絶縁体層上に設けられているｎ個（ｎは自然数）の１次コイル導体層及び１つの直列１次コイル導体層を含む１次コイルと、前記絶縁体層上に設けられているｎ個の２次コイル導体層を含む２次コイルと、前記絶縁体層上に設けられているｎ個の３次コイル導体層を含む３次コイルと、を備えており、前記１次コイル、前記２次コイル及び前記３次コイルは、コモンモードフィルタを構成しており、前記１次コイル導体層、前記２次コイル導体層及び前記３次コイル導体層が１つずつ前記積層方向の一方側から他方側へとこの順に並ぶことにより１つのコイル導体層群が構成されており、ｎ個の前記コイル導体層群が前記積層方向の一方側から他方側へと並んでおり、前記直列１次コイル導体層は、前記ｎ個の１次コイル導体層に対して電気的に直列に接続されており、かつ、前記積層方向の最も他方側に設けられている前記３次コイル導体層に対して該積層方向の他方側に設けられており、前記積層方向から見たときに、前記ｎ個の１次コイル導体層の内方の領域、前記１つの直列１次コイル導体層の内方の領域、前記ｎ個の２次コイル導体層の内方の領域、及び前記ｎ個の３次コイル導体層の内方の領域は、互いに少なくとも部分的に重なり合っていること、を特徴とする。
【発明の効果】
【００１１】
本発明によれば、３つのコイルを備えたコモンモードフィルタにおいて、各コイル間の差動インピーダンスの差異を低減することができる。
【図面の簡単な説明】
【００１２】
【図１】電子部品１０の外観斜視図である。
【図２】電子部品１０の分解斜視図である。
【図３】図１の電子部品１０のＡ−Ａにおける断面構造図である。
【図４】電子部品１０を上側から透視した図である。
【図５】比較例に係る電子部品３１０を上側から透視した図である。
【図６】第１のモデルのシミュレーション結果を示したグラフである。
【図７】第２のモデルのシミュレーション結果を示したグラフである。
【図８】電子部品１０のコイル導体層３０ａ，３２ａ，３４ａ、直列コイル導体層３６及び引き出し導体層６０，６４の位置関係を示した模式図である。
【図９】電子部品１０ａのコイル導体層３０ａ，３２ａ，３４ａ，３０ｂ，３２ｂ，３４ｂ，３０ｃ，３２ｃ，３４ｃ、直列コイル導体層３６及び引き出し導体層６０，６４の位置関係を示した模式図である。
【図１０】電子部品１０ａの断面構造図である。
【図１１】電子部品１０ｂの断面構造図である。
【図１２】電子部品１０ｂを上側から透視した図である。
【図１３】第３のモデルのシミュレーション結果を示したグラフである。
【図１４】電子部品１０ｃ断面構造図である。
【図１５】電子部品１０ｃを上側から透視した図である。
【図１６】第４のモデルのシミュレーション結果を示したグラフである。
【図１７】電子部品１０ｄの断面構造図である。
【図１８】電子部品１０ｄを上側から透視した図である。
【図１９】第５のモデルのシミュレーション結果を示したグラフである。
【図２０】電子部品１０のコイル導体層３０ａ，３２ａ，３４ａ及び直列コイル導体層３６の間に発生する容量を説明する断面模式図である。
【図２１】電子部品１０ｂのコイル導体層３０ａ，３２ａ，３４ａ及び直列コイル導体層３６の間に発生する容量を説明する断面模式図である。
【図２２】電子部品１０ｃのコイル導体層３０ａ，３２ａ，３４ａ及び直列コイル導体層３６の間に発生する容量を説明する断面模式図である。
【図２３】第３のモデルのコイル導体層３０ａ，３２ａ，３４ａ及び直列コイル導体層３６の配置を示したグラフである。
【図２４】第４のモデルのコイル導体層３０ａ，３２ａ，３４ａ及び直列コイル導体層３６の配置を示したグラフである。
【図２５】電子部品１０ｅの分解斜視図である。
【図２６】電子部品１０ｅの断面構造図である。
【図２７】電子部品１０ｅを上側から透視した図である。
【図２８】第６のモデルのシミュレーション結果を示したグラフである。
【図２９】電子部品１０ｆの断面構造図である。
【図３０】特許文献１に記載のコモンモードチョークコイル５１０の断面構造図である。
【発明を実施するための形態】
【００１３】
（電子部品の構成）
まず、一実施形態に係る電子部品１０の構成について図面を参照しながら説明する。図１は、電子部品１０の外観斜視図である。図２は、電子部品１０の分解斜視図である。図３は、図１の電子部品１０のＡ−Ａにおける断面構造図である。図４は、電子部品１０を上側から透視した図である。図４では、コイル導体層３０ａ，３２ａ，３４ａ、直列コイル導体層３６、引き出し導体層４０，４２，４４，４６，６０，６４、接続導体７０ａ〜７０ｆ及び層間接続導体ｖ１〜ｖ３を示した。以下では、電子部品１０の積層方向を上下方向と定義し、上側から見たときに、長辺が延在している方向を前後方向と定義し、短辺が延在している方向を左右方向と定義する。また、上下方向、前後方向及び左右方向は互いに直交している。なお、積層方向とは、後述する絶縁体層が積み重ねられる方向である。
【００１４】
電子部品１０は、図１ないし図３に示すように、本体１２、外部電極１４ａ〜１４ｆ、接続部１６ａ〜１６ｆ、引き出し部５０〜５５、１次コイルＬ１、２次コイルＬ２及び３次コイルＬ３を備えている。
【００１５】
本体１２は、図１及び図２に示すように、直方体状をなしており、磁性体基板２０ａ，２０ｂ、積層体２２及び磁性体層２４を含んでいる。磁性体基板２０ａ、磁性体層２４、積層体２２及び磁性体基板２０ｂは、上側から下側へとこの順に積み重ねられている。
【００１６】
磁性体基板２０ａ，２０ｂは、上側から見たときに長方形状をなす板状部材である。以下では、磁性体基板２０ａ，２０ｂの上側の主面を上面と呼び、磁性体基板２０ａ，２０ｂの下側の主面を下面と呼ぶ。上側から見たときに、磁性体基板２０ｂの４つの角及び２本の長辺の中央が切り欠かれている。より詳細には、磁性体基板２０ｂの４つの角のそれぞれには、上側から見たときに、中心角が９０度である扇形をなす切り欠きが設けられている。磁性体基板２０ｂの２本の長辺の中央のそれぞれには、上側から見たときに、半円をなす切り欠きが設けられている。６つの切り欠きは、磁性体基板２０ｂの上面から下面まで到達するように、磁性体基板２０ｂの側面を上下方向に延在している。
【００１７】
磁性体基板２０ａ，２０ｂは、焼結済みのフェライトセラミックスが削り出されて作製される。また、磁性体基板２０ａ，２０ｂは、フェライト仮焼粉末や金属粉等の磁性粉及び樹脂等のバインダーからなる磁性ペーストが熱硬化されるかアルミナ等のセラミックス基板に塗布されることによって作製されてもよいし、フェライト材料のグリーンシートが積層及び焼成されて作製されてもよい。
【００１８】
外部電極１４ａ〜１４ｆは、磁性体基板２０ｂの下面上に設けられており、長方形状をなしている。より詳細には、外部電極１４ａは、磁性体基板２０ｂの下面の左後ろに位置する角に設けられている。外部電極１４ｂは、磁性体基板２０ｂの下面の左側に位置する長辺の中央に設けられている。外部電極１４ｃは、磁性体基板２０ｂの下面の左前に位置する角に設けられている。外部電極１４ｄ（第２の外部電極の一例）は、磁性体基板２０ｂの下面の右後ろに位置する角に設けられている。外部電極１４ｅ（第１の外部電極の一例）は、磁性体基板２０ｂの下面の右側に位置する長辺の中央に設けられている。外部電極１４ｆ（第３の外部電極の一例）は、磁性体基板２０ｂの下面の右前に位置する角に設けられている。外部電極１４ａ〜１４ｆは、Ａｇ、Ｎｉ、Ｃｕ、Ｔｉ等がスパッタ法により重ねて成膜されることによって作製されている。なお、外部電極１４ａ〜１４ｆは、金属を含有するペーストが印刷及び焼き付けされて作製されてもよいし、金属が蒸着やめっき工法によって成膜されることによって作製されてもよい。
【００１９】
接続部１６ａ〜１６ｆはそれぞれ、磁性体基板２０ｂに設けられた６つの切り欠きに設けられている。接続部１６ａは、磁性体基板２０ｂの左後ろに位置する切り欠きに設けられており、その下端において外部電極１４ａに接続されている。接続部１６ｂは、磁性体基板２０ｂの左側の長辺の中央に位置する切り欠きに設けられており、その下端において外部電極１４ｂに接続されている。接続部１６ｃは、磁性体基板２０ｂの左前に位置する切り欠きに設けられており、その下端において外部電極１４ｃに接続されている。接続部１６ｄは、磁性体基板２０ｂの右後ろに位置する切り欠きに設けられており、その下端において外部電極１４ｄに接続されている。接続部１６ｅは、磁性体基板２０ｂの右側の長辺の中央に位置する切り欠きに設けられており、その下端において外部電極１４ｅに接続されている。接続部１６ｆは、磁性体基板２０ｂの右前に位置する切り欠きに設けられており、その下端において外部電極１４ｆに接続されている。接続部１６ａ〜１６ｆは、Ｃｕ、Ａｇ、Ａｕ等を主成分とする導体膜がめっき法により成膜されることによって作製されている。なお、接続部１６ａ〜１６ｆは、Ａｇ、Ａｕ等の電気伝導性の高い材料により作製されてもよい。
【００２０】
積層体２２は、絶縁体層２６ａ〜２６ｆ（複数の絶縁体層の一例）が磁性体基板２０ｂの上面上に積層された構造を有しており、上側から見たときに長方形状をなしている。絶縁体層２６ａ〜２６ｆは、上側から下側へとこの順に並ぶように積層されており、磁性体基板２０ｂの上面と略同じサイズを有している。ただし、上側から見たときに、絶縁体層２６ｂ〜２６ｆの４つの角及び２本の長辺の中央が切り欠かれている。
【００２１】
絶縁体層２６ａ〜２６ｆは、ポリイミドにより作製されている。また、絶縁体層２６ａ〜２６ｆは、ベンゾシクロブテン等の絶縁性樹脂により作製されていてもよいし、ガラスセラミックス等の絶縁性無機材料により作製されていてもよい。以下では、絶縁体層２６ａ〜２６ｆの上側の主面を上面と呼び、絶縁体層２６ａ〜２６ｆの下側の主面を下面と呼ぶ。
【００２２】
磁性体層２４は、積層体２２と磁性体基板２０ａとの間に設けられており、積層体２２の上面を平坦化すると共に、積層体２２と磁性体基板２０ａとを接合する。磁性体層２４は、例えば、前述の磁性ペーストにより作製される。
【００２３】
１次コイルＬ１は、積層体２２内に設けられており、コイル導体層３０ａ、直列コイル導体層３６及び層間接続導体ｖ１を含んでいる。コイル導体層３０ａは、絶縁体層２６ｆの上面上に設けられており、上側から見たときに、時計回り（所定方向の一例）に周回しながら外周側から内周側に向かう渦巻状をなしている。本実施形態では、コイル導体層３０ａは、約２周分の長さを有している。コイル導体層３０ａの中心は、上側から見たときに、電子部品１０の中心（対角線交点）と略一致している。
【００２４】
直列コイル導体層３６は、コイル導体層３０ａに対して電気的に直列に接続されており、かつ、後述するコイル導体層３４ａに対して上側に設けられている。直列コイル導体層３６は、絶縁体層２６ｃの上面上に設けられており、上側から見たときに、時計回りに周回しながら内周側から外周側に向かう渦巻状をなしている。本実施形態では、直列コイル導体層３６は、約２周分の長さを有している。従って、コイル導体層３０ａ（所定の第１のコイル導体層の一例）の巻き数と、直列コイル導体層３６の巻き数とが実質的に等しい。直列コイル導体層３６の中心は、上側から見たときに、電子部品１０の中心（対角線交点）と略一致している。また、直列コイル導体層３６において径方向に隣り合う線の距離（ピッチ）は、コイル導体層３０ａにおいて径方向に隣り合う線の距離と等しい。径方向とは、コイル導体層及び直列コイル導体層の内周側から外周側に向かう方向である。
【００２５】
層間接続導体ｖ１は、絶縁体層２６ｂ〜２６ｅを上下方向に貫通していると共に、絶縁体層２６ｆの上面上に設けられている導体である。層間接続導体ｖ１は、上側から見たときに、左右方向に延在する線状をなしており、絶縁体層２６ｂ〜２６ｆの中央近傍に設けられている。また、層間接続導体ｖ１は、コイル導体層３０ａの内周側の端部と直列コイル導体層３６の内周側の端部とを接続している。これにより、コイル導体層３０ａと直列コイル導体層３６とは、電気的に直列に接続されている。
【００２６】
引き出し部５０は、１次コイルＬ１の一端（コイル導体層３０ａの外周側の端部）と外部電極１４ｂとを接続する。引き出し部５０は、引き出し導体層４０及び接続導体７０ｂを含んでいる。接続導体７０ｂは、絶縁体層２６ｂ〜２６ｆの左側の長辺の中央に設けられた四角柱状の導体である。なお、図２では、理解の容易のために、接続導体７０ｂは、５つに分割して記載されている。後述する接続導体７０ａ，７０ｃ〜７０ｆも、接続導体７０ｂと同様に、５つに分割して記載した。接続導体７０ｂは、絶縁体層２６ｂの上面から絶縁体層２６ｆの下面まで上下方向に延在しており、その下端において接続部１６ｂに接続されている。
【００２７】
引き出し導体層４０は、絶縁体層２６ｆの上面上に設けられており、コイル導体層３０ａの外周側の端部に接続されていると共に接続導体７０ｂに接続されている。引き出し導体層４０は、上側から見たときに、渦巻状をなしておらず、コイル導体層３０ａの外周側の端部から左側に向かって延在している。コイル導体層３０ａと引き出し導体層４０との境界は、図２の拡大図に示すように、コイル導体層３０ａが形成している渦巻状の軌跡から引き出し導体層４０が離脱する位置である。これにより、１次コイルＬ１の一端（コイル導体層３０ａの外周側の端部）と外部電極１４ａとが引き出し部５０（引き出し導体層４０及び接続導体７０ｂ）及び接続部１６ｂを介して接続されている。
【００２８】
引き出し部５３（第１の引き出し部の一例）は、１次コイルＬ１の他端（直列コイル導体層３６の外周側の端部）と外部電極１４ｅ（第１の外部電極の一例）とを接続する。引き出し部５３は、引き出し導体層４６及び接続導体７０ｅを含んでいる。接続導体７０ｅは、絶縁体層２６ｂ〜２６ｆの右側に位置する長辺の中央に設けられた四角柱状の導体である。接続導体７０ｅは、絶縁体層２６ｂの上面から絶縁体層２６ｆの下面まで上下方向に延在しており、その下端において接続部１６ｅに接続されている。
【００２９】
引き出し導体層４６は、絶縁体層２６ｃの上面上に設けられており、直列コイル導体層３６の外周側の端部に接続されていると共に接続導体７０ｅに接続されている。引き出し導体層４６は、上側から見たときに、渦巻状をなしておらず、直列コイル導体層３６の外周側の端部から右側に向かって延在している。直列コイル導体層３６と引き出し導体層４６との境界は、直列コイル導体層３６が形成している渦巻状の軌跡から引き出し導体層４６が離脱する位置である。これにより、１次コイルＬ１の他端（直列コイル導体層３６の外周側の端部）と外部電極１４ｅとが引き出し部５３（引き出し導体層４６及び接続導体７０ｅ）及び接続部１６ｅを介して接続されている。
【００３０】
２次コイルＬ２は、積層体２２内に設けられており、コイル導体層３２ａ（２次コイル導体層の一例）を含んでいる。コイル導体層３２ａは、絶縁体層２６ｅの上面上に設けられており、上側から見たときに、時計回りに周回しながら外周側から内周側に向かう渦巻状をなしている。本実施形態では、コイル導体層３２ａは、約４周分の長さを有している。これにより、コイル導体層３０ａの巻き数は、該コイル導体層３０ａに隣り合うコイル導体層３２ａの巻き数の半分となっている。コイル導体層３２ａの中心は、上側から見たときに、電子部品１０の中心（対角線交点）と略一致している。また、コイル導体層３２ａにおいて径方向に隣り合う線の距離（ピッチ）は、コイル導体層３０ａ及び直列コイル導体層３６において径方向に隣り合う線の距離と等しい。
【００３１】
また、コイル導体層３２ａは、図２及び図３に示すように、上側から見たときに、コイル導体層３０ａと重なっている。より詳細には、コイル導体層３０ａ（所定の１次コイル導体層の一例）の最も外周側を周回している部分と最も内周側を周回している部分との中間線と、コイル導体層３２ａ（所定の１次コイル導体層と積層方向に隣り合う２次コイル導体層の一例）の最も外周側を周回している部分と最も内周側を周回している部分との中間線とは、上側から見たときに、少なくとも一部において互いに重なっている。より詳細には、コイル導体層３２ａは、約４周分の長さを有している。コイル導体層３０ａは、約２周分の長さを有している。これにより、コイル導体層３０ａの巻き数は、上側から見たときに、コイル導体層３２ａの巻き数の半分となっている。そして、コイル導体層３０ａは、コイル導体層３２ａの最も内周側の１周分及び最も外周側の１周分とは重なっていない。また、コイル導体層３０ａは、上側から見たときに、コイル導体層３２ａの中間の２周分の一部と重なっている。よって、上側から見たときに、コイル導体層３０ａよりも内周側及び外周側にはそれぞれコイル導体層３２ａが存在している。
【００３２】
コイル導体層３０ａ，３２ａが以上の様な構造を有することにより、コイル導体層３０ａに囲まれた領域（１次コイルＬ１の内磁路）とコイル導体層３２ａに囲まれた領域（２次コイルＬ２の内磁路）とが、上側から見たときに重なる。これにより、コイル導体層３０ａとコイル導体層３２ａとは、磁気的に結合している。ただし、引き出し部５０と後述する引き出し部５１とが干渉しないように、コイル導体層３０ａの外周側の端部の位置とコイル導体層３２ａの外周側の端部の位置とは異なっている。具体的には、コイル導体層３２ａの外周側の端部は、コイル導体層３０ａの外周側の端部よりも時計回り方向の下流側に位置している。
【００３３】
引き出し部５１は、２次コイルＬ２の一端（コイル導体層３２ａの外周側の端部）と外部電極１４ａとを接続する。引き出し部５１は、引き出し導体層４２及び接続導体７０ａを含んでいる。接続導体７０ａは、絶縁体層２６ｂ〜２６ｆの左後ろ側に位置する角に設けられた三角柱状の導体である。接続導体７０ａは、絶縁体層２６ｂの上面から絶縁体層２６ｆの下面まで上下方向に延在しており、その下端において接続部１６ａに接続されている。
【００３４】
引き出し導体層４２は、絶縁体層２６ｅの上面上に設けられており、コイル導体層３２ａの外周側の端部に接続されていると共に接続導体７０ａに接続されている。引き出し導体層４２は、上側から見たときに、渦巻状をなしておらず、コイル導体層３２ａの外周側の端部から左側に向かって延在している。これにより、２次コイルＬ２の一端（コイル導体層３２ａの外周側の端部）と外部電極１４ａとが引き出し部５１（引き出し導体層４２及び接続導体７０ａ）及び接続部１６ａを介して接続されている。
【００３５】
引き出し部５４（第２の引き出し部の一例）は、２次コイルＬ２の他端（コイル導体層３２ａの内周側の端部）と外部電極１４ｄとを接続する。引き出し部５４は、層間接続導体ｖ２、引き出し導体層６０（第１の引き出し導体層の一例）及び接続導体７０ｄを含んでいる。接続導体７０ｄは、絶縁体層２６ｂ〜２６ｆの右後ろ側に位置する角に設けられた三角柱状の導体である。接続導体７０ｄは、絶縁体層２６ｂの上面から絶縁体層２６ｆの下面まで上下方向に延在しており、その下端において接続部１６ｄに接続されている。
【００３６】
層間接続導体ｖ２は、絶縁体層２６ｂ〜２６ｅを上下方向に貫通していると共に、絶縁体層２６ｆの上面上に設けられている導体である。層間接続導体ｖ２は、上側から見たときに、左右方向に延在する線状をなしており、絶縁体層２６ｂ〜２６ｆの後ろ側半分の領域に設けられている。また、層間接続導体ｖ２は、直列コイル導体層３６に囲まれた領域内に位置している。層間接続導体ｖ２は、コイル導体層３２ａの内周側の端部に接続されている。
【００３７】
引き出し導体層６０は、直列コイル導体層３６よりも上側に位置し、上側から見たときに、直列コイル導体層３６の一部において重なっている。より詳細には、引き出し導体層６０は、絶縁体層２６ｂの上面上に設けられており、上側から見たときに、直列コイル導体層３６と交差している。そして、引き出し導体層６０は、層間接続導体ｖ２に接続されていると共に接続導体７０ｄに接続されている。これにより、２次コイルＬ２の他端（コイル導体層３２ａの内周側の端部）と外部電極１４ｄとが引き出し部５４（層間接続導体ｖ２、引き出し導体層６０及び接続導体７０ｄ）及び接続部１６ｄを介して接続されている。
【００３８】
３次コイルＬ３は、積層体２２内に設けられており、コイル導体層３４ａ（３次コイル導体層の一例）を含んでいる。コイル導体層３４ａは、絶縁体層２６ｄの上面上に設けられており、上側から見たときに、時計回りに周回しながら外周側から内周側に向かう渦巻状をなしている。本実施形態では、コイル導体層３４ａは、約４周分の長さを有している。これにより、直列コイル導体層３６の巻き数は、コイル導体層３４ａ（積層方向の最も他方側に位置する３次コイル導体層の一例）の巻き数の半分となっている。コイル導体層３４ａの中心は、上側から見たときに、電子部品１０の中心（対角線交点）と略一致している。また、コイル導体層３４ａにおいて径方向に隣り合う線の距離（ピッチ）は、コイル導体層３０ａ，３２ａ及び直列コイル導体層３６において径方向に隣り合う線の距離と等しい。
【００３９】
また、コイル導体層３４ａは、図２及び図３に示すように、上側から見たときに、略全長にわたってコイル導体層３２ａと重なっている。そのため、コイル導体層３２ａに囲まれた領域（２次コイルＬ２の内磁路）とコイル導体層３４ａに囲まれた領域（３次コイルＬ３の内磁路）とが、上側から見たときに重なる。これにより、コイル導体層３２ａとコイル導体層３４ａとは、磁気的に結合している。ただし、引き出し部５１，５４と引き出し部５２，５５とが干渉しないように、コイル導体層３２ａの両端の位置とコイル導体層３４ａの両端の位置とは異なっている。具体的には、コイル導体層３４ａの外周側の端部は、コイル導体層３２ａの外周側の端部よりも時計回り方向の上流側に位置している。コイル導体層３４ａの内周側の端部は、コイル導体層３２ａの内周側の端部よりも時計回り方向の上流側に位置している。これにより、コイル導体層３２ａの長さとコイル導体層３４ａの長さとは実質的に等しくなっている。なお、コイル導体層３２ａとコイル導体層３４ａとは、磁気的に結合していればよいので、必ずしも、互いに全長にわたって重なっていなくてもよく、前後方向又は左右方向に僅かにずれていてもよい。
【００４０】
また、コイル導体層３４ａは、図２及び図３に示すように、上側から見たときに、直列コイル導体層３６と重なっている。より詳細には、直列コイル導体層３６の最も外周側を周回している部分と最も内周側を周回している部分との中間線と、コイル導体層３４ａ（ｎ個の３次コイル導体層の内の積層方向の最も他方側に位置する３次コイル導体層の一例）の最も外周側を周回している部分と最も内周側を周回している部分との中間線とは、少なくとも一部において互いに重なっている。より詳細には、コイル導体層３４ａは、約４周分の長さを有している。直列コイル導体層３６は、約２周分の長さを有している。そして、直列コイル導体層３６は、コイル導体層３４ａの最も外周側の１周分とは重なっていない。更に、直列コイル導体層３６は、図４に示すように、上側から見たときに、コイル導体層３４ａの最も内周側の１周分の殆どの部分とは重なっていない。ただし、直列コイル導体層３６の内周側の端部近傍（図４のＸ参照）は、コイル導体層３４ａの最も内周側の１周分と重なっている。そして、直列コイル導体層３６は、上側から見たときに、コイル導体層３４ａの中間の２周分の一部と重なっている。これにより、上側から見たときに、直列コイル導体層３６よりも内周側及び外周側にはそれぞれコイル導体層３４ａが存在している。
【００４１】
コイル導体層３４ａ及び直列コイル導体層３６が以上の様な構造を有することにより、コイル導体層３４ａに囲まれた領域（３次コイルＬ３の内磁路）と直列コイル導体層３６に囲まれた領域（１次コイルＬ１の内磁路）とが、上側から見たときに重なる。これにより、コイル導体層３４ａと直列コイル導体層３６とは、磁気的に結合している。
【００４２】
また、引き出し部５０と後述する引き出し部５２とが干渉しないように、コイル導体層３４ａの外周側の端部の位置とコイル導体層３０ａの外周側の端部の位置とは異なっている。具体的には、コイル導体層３４ａの外周側の端部は、コイル導体層３０ａの外周側の端部よりも時計回り方向の上流側に位置している。
【００４３】
引き出し部５２は、３次コイルＬ３の一端（コイル導体層３４ａの外周側の端部）と外部電極１４ｃとを接続する。引き出し部５２は、引き出し導体層４４及び接続導体７０ｃを含んでいる。接続導体７０ｃは、絶縁体層２６ｂ〜２６ｆの左前に位置する角に設けられた三角柱状の導体である。接続導体７０ｃは、絶縁体層２６ｂの上面から絶縁体層２６ｆの下面まで上下方向に延在しており、その下端において接続部１６ｃに接続されている。
【００４４】
引き出し導体層４４は、絶縁体層２６ｄの上面上に設けられており、コイル導体層３４ａの外周側の端部に接続されていると共に接続導体７０ｃに接続されている。引き出し導体層４４は、上側から見たときに、渦巻状をなしておらず、コイル導体層３４ａの外周側の端部から前側に向かって延在している。これにより、３次コイルＬ３の一端（コイル導体層３４ａの外周側の端部）と外部電極１４ｃとが引き出し部５２（引き出し導体層４４及び接続導体７０ｃ）及び接続部１６ｃを介して接続されている。
【００４５】
引き出し部５５（第３の引き出し部の一例）は、３次コイルＬ３の他端（コイル導体層３４ａの内周側の端部）と外部電極１４ｆとを接続する。引き出し部５５は、層間接続導体ｖ３、引き出し導体層６４及び接続導体７０ｆを含んでいる。接続導体７０ｆは、絶縁体層２６ｂ〜２６ｆの右前に位置する角に設けられた三角柱状の導体である。接続導体７０ｆは、絶縁体層２６ｂの上面から絶縁体層２６ｆの下面まで上下方向に延在しており、その下端において接続部１６ｆに接続されている。
【００４６】
層間接続導体ｖ３は、絶縁体層２６ｂ〜２６ｅを上下方向に貫通していると共に、絶縁体層２６ｆの上面上に設けられている導体である。層間接続導体ｖ３は、上側から見たときに、左右方向に延在する線状をなしており、絶縁体層２６ｂ〜２６ｆの前半分の領域に設けられている。また、層間接続導体ｖ３は、直列コイル導体層３６に囲まれた領域内に位置している。層間接続導体ｖ３は、コイル導体層３４ａの内周側の端部に接続されている。
【００４７】
引き出し導体層６４は、直列コイル導体層３６よりも上側に位置し、上側から見たときに、直列コイル導体層３６の一部において重なっている。より詳細には、引き出し導体層６４は、絶縁体層２６ｂの上面上に設けられており、上側から見たときに、直列コイル導体層３６と交差している。そして、引き出し導体層６４は、層間接続導体ｖ３に接続されていると共に接続導体７０ｆに接続されている。これにより、３次コイルＬ３の他端（コイル導体層３４ａの内周側の端部）と外部電極１４ｆとが引き出し部５５（層間接続導体ｖ３、引き出し導体層６４及び接続導体７０ｆ）及び接続部１６ｆを介して接続されている。
【００４８】
コイル導体層３０ａ，３２ａ，３４ａ、直列コイル導体層３６、引き出し導体層４０，４２，４４，４６，６０，６４及び接続導体７０ａ〜７０ｆは、例えば、Ａｇ、Ｃｕ、Ａｕ等の電気導電性の高い材料がスパッタ法で成膜されることにより作製される。また、コイル導体層３０ａ，３２ａ，３４ａ、直列コイル導体層３６、引き出し導体層４０，４２，４４，４６，６０，６４及び接続導体７０ａ〜７０ｆは、印刷法、蒸着法、めっき法などによって作製されてもよい。
【００４９】
以上のように、コイル導体層３０ａと直列コイル導体層３６とは、層間接続導体ｖ１により、互いに直列に接続されており、互いに実質的に等しい長さ（巻き数）を有している。また、コイル導体層３０ａの長さ、直列コイル導体層３６の長さ及び層間接続導体ｖ１においてコイル導体層３０ａと直列コイル導体層３６とを接続する部分の長さの合計と、コイル導体層３２ａの長さと、コイル導体層３４ａの長さとは、互いに実質的に等しい。そのため、１次コイルＬ１、２次コイルＬ２及び３次コイルＬ３は、互いに実質的に等しい電流経路の長さを有している。電流経路の長さが実質的に等しいとは、引き出し部５０〜５５が互いに干渉しないように配置されることによって、コイル導体層３０ａの長さ、直列コイル導体層３６の長さ及び層間接続導体ｖ１においてコイル導体層３０ａと直列コイル導体層３６とを接続する部分の長さの合計と、コイル導体層３２ａの長さと、コイル導体層３４ａの長さとの間に生じる差は、１次コイルＬ１，２次コイルＬ２及び３次コイルＬ３の長さに比べて十分に小さいので実質的な差ではないとする意味である。
【００５０】
更に、コイル導体層３０ａの断面積と直列コイル導体層３６の断面積とコイル導体層３２ａの断面積とコイル導体層３４ａの断面積とは、実質的に等しい。より詳細には、図３に示すように、コイル導体層３０ａの線幅、コイル導体層３２ａの線幅、コイル導体層３４ａの線幅及び直列コイル導体層３６の線幅は、互いに実質的に等しい。更に、コイル導体層３０ａの厚み、コイル導体層３２ａの厚み、コイル導体層３４ａの厚み及び直列コイル導体層３６の厚みは、互いに実質的に等しい。
【００５１】
更に、前記の通り、コイル導体層３０ａの長さ及び直列コイル導体層３６の長さは、コイル導体層３２ａ，３４ａの長さの半分である。
【００５２】
上記説明におけるコイル導体層の断面積とは、コイル導体層の延在方向に直交する断面における断面積を意味している。また、コイル導体層の厚みとは、コイル導体層の上下方向における厚みである。また、コイル導体層の線幅とは、コイル導体層の延在方向に直交する断面において、コイル導体層の上下方向に直交する方向における幅である。
【００５３】
また、コイル導体層３０ａとコイル導体層３２ａとの間隔、コイル導体層３２ａとコイル導体層３４ａとの間隔、コイル導体層３４ａと直列コイル導体層３６との間隔は、互いに実質的に等しい。すなわち、コイル導体層３０ａ，３２ａ，３４ａ及び直列コイル導体層３６の隣り合うもの同士の上下方向の間隔は、実質的に等しい。なお、コイル導体層の間隔とは、２つのコイル導体層の互いに対向する面の間の距離である。
【００５４】
以上のように構成された電子部品１０では、１次コイルＬ１と２次コイルＬ２とが磁気的に結合しており、２次コイルＬ２と３次コイルＬ３とが磁気的に結合しており、３次コイルＬ３と１次コイルＬ１とが磁気的に結合している。      
【００５５】
以上のように構成された電子部品１０の動作について以下に説明する。外部電極１４ａ〜１４ｃは、入力端子として用いられる。外部電極１４ｄ〜１４ｆは、出力端子として用いられる。
【００５６】
外部電極１４ｂ，１４ａ，１４ｃにはそれぞれ、第１の信号Ｓ１、第２の信号Ｓ２及び第３の信号Ｓ３が入力される。仮に、次のような第１の信号Ｓ１、第２の信号Ｓ２及び第３の信号Ｓ３を考える。第１の信号Ｓ１、第２の信号Ｓ２及び第３の信号Ｓ３は、それぞれハイ（Ｈ）、ミドル（Ｍ）、ロー（Ｌ）の互いに異なる任意の３値の電圧値を取り、かつ同一のクロックの下でＨ、Ｍ、Ｌの３値間を遷移する。更に、ある信号がＨの値を取るタイミングでは、残り２つの信号のうち、一方はＭの値、他方はＬの値を取る。すなわち、第１の信号Ｓ１、第２の信号Ｓ２及び第３の信号Ｓ３は排他的にＨ、Ｍ、Ｌの３値を遷移する。このとき、第１の信号Ｓ１、第２の信号Ｓ２及び第３の信号Ｓ３の電圧値の総和はほぼ常に一定（Ｈ＋Ｍ＋Ｌ）であり、遷移による電圧の「総」変化量はほぼ０となる。よって、１次コイルＬ１、２次コイルＬ２及び３次コイルＬ３に発生する電流の「総」変化量もほぼ０となり、電子部品１０に発生する磁束の変化量はほぼ「０」となる（１次コイルＬ１、２次コイルＬ２及び３次コイルＬ３単独では発生磁束は変化するが、これらの変化が打ち消しあう）。このように、磁束の変化が略ない場合は、実質的に電子部品１０にインピーダンスは発生しないため、電子部品１０は、第１の信号Ｓ１、第２の信号Ｓ２及び第３の信号Ｓ３に対して影響を与えない。
【００５７】
一方、コモンモードノイズ、すなわち第１の信号Ｓ１、第２の信号Ｓ２及び第３の信号Ｓ３に含まれる同相のノイズに対しては、１次コイルＬ１、２次コイルＬ２及び３次コイルＬ３のそれぞれが発生する磁束変化は同方向であり、これらの磁束変化が互いに打ち消しあわず、強め合う。そのため、電子部品１０はコモンモードノイズに対して大きなインピーダンスを有する。よって、電子部品１０はコモンモードノイズを低減することができる。以上のように、電子部品１０は第１の信号Ｓ１、第２の信号Ｓ２及び第３の信号Ｓ３には影響を与えず、コモンモードノイズを低減することができ、第１の信号Ｓ１、第２の信号Ｓ２及び第３の信号Ｓ３に対して、１次コイルＬ１、２次コイルＬ２及び３次コイルＬ３はコモンモードフィルタを構成する。
【００５８】
（電子部品の製造方法）
以下に、電子部品１０の製造方法について図面を参照しながら説明する。以下では、一つの電子部品１０が製造される場合を例に挙げて説明するが、実際には、大判のマザー磁性体基板及びマザー絶縁体層が積み重ねられてマザー本体が作製され、マザー本体がカットされることにより、複数の電子部品１０が同時に形成される。
【００５９】
まず、磁性体基板２０ｂの上面上の全面に感光性樹脂であるポリイミド樹脂を塗布する。次に、絶縁体層２６ｆの４つの角及び２つの長辺の中央に対応する位置を遮光し、露光を行う。これにより、遮光されていない部分のポリイミド樹脂が硬化する。この後、フォトレジストを有機溶剤により除去すると共に、現像を行って、未硬化のポリイミド樹脂を除去し、熱硬化する。これにより、絶縁体層２６ｆが形成される。
【００６０】
次に、絶縁体層２６ｆ及び絶縁体層２６ｆから露出する磁性体基板２０ｂ上にスパッタ法によりＡｇ膜を成膜する。次に、コイル導体層３０ａ、引き出し導体層４０、接続導体７０ａ〜７０ｆ及び層間接続導体ｖ１〜ｖ３が形成される部分の上にフォトレジストを形成する。そして、エッチング工法により、コイル導体層３０ａ、引き出し導体層４０、接続導体７０ａ〜７０ｆ及び層間接続導体ｖ１〜ｖ３が形成される部分（すなわち、フォトレジストで覆われている部分）以外のＡｇ膜を除去する。この後、フォトレジストを有機溶剤により除去することによって、コイル導体層３０ａ、引き出し導体層４０、接続導体７０ａ〜７０ｆの一部（１層分）及び層間接続導体ｖ１〜ｖ３の一部（１層分）が形成される。
【００６１】
以上の工程と同様の工程を繰り返すことにより、絶縁体層２６ａ〜２６ｅ及びコイル導体層３２ａ，３４ａ、直列コイル導体層３６、引き出し導体層４２，４４，４６，６０，６４、接続導体７０ａ〜７０ｆの残余の部分及び層間接続導体ｖ１，ｖ２，ｖ３の残余の部分を形成する。
【００６２】
次に、積層体２２上に磁性体層２４となる磁性体ペーストを塗布し、磁性体層２４上に磁性体基板２０ａを圧着する。
【００６３】
次に、サンドブラスト工法によって、６つの切り欠きを磁性体基板２０ｂに形成する。なお、切り欠きは、サンドブラスト工法以外に、レーザ加工法によって形成されてもよいし、サンドブラスト工法及びレーザ加工法の組み合わせによって形成されてもよい。
【００６４】
最後に、電界めっき法及びフォトリソグラフィ工法の組み合わせにより、磁性体基板２０ｂの切り欠きの内周面に導体層を形成して、接続部１６ａ〜１６ｆ及び外部電極１４ａ〜１４ｆを形成する。
【００６５】
（効果）
本実施形態に係る電子部品１０によれば、１次コイルＬ１〜３次コイルＬ３間の差動インピーダンスの差異を低減することができる。より詳細には、差動インピーダンスは、測定電流（又は差動信号）が流れた際に、コイルを含めた電子部品１０全体のインダクタンス値をＬ、容量値をＣとした場合に、Ｌ／Ｃの平方根で表される。Ｃは、コイル導体層間の容量（寄生容量）を含んでいる。電子部品１０では、１次コイルＬ１、２次コイルＬ２及び３次コイルＬ３の各電流経路において、１次コイルＬ１の内径面積と、２次コイルＬ２の内径面積と、３次コイルＬ３の内径面積とは、実質的に等しい。更に、１次コイルＬ１、２次コイルＬ２及び３次コイルＬ３は、互いに実質的に等しい電流経路の長さを有し、かつ、互いに実質的に等しい巻き数を有している。よって、１次コイルＬ１〜３次コイルＬ３のインダクタンス値は互いに実質的に等しい。
【００６６】
ここで、例えば、従来のコモンモードチョークコイル５１０でも、電子部品１０と同様にコイル５１４，５１６，５１８のインダクタンス値は互いに実質的に等しい。一方、前述したように、コイル５１４とコイル５１６との間隔が、コイル５１４とコイル５１８との間隔及びコイル５１６とコイル５１８との間隔よりも大きいため、コイル５１４とコイル５１６との間に発生する容量は、コイル５１４とコイル５１８との間に発生する容量及びコイル５１６とコイル５１８との間に発生する容量よりも小さくなる。これにより、コイル５１４とコイル５１６との間の差動インピーダンスは、コイル５１４とコイル５１８との間の差動インピーダンス及びコイル５１６とコイル５１８との間の差動インピーダンスよりも大きくなる。
【００６７】
そこで、電子部品１０では、直列コイル導体層３６は、コイル導体層３０ａ，３２ａ，３４ａの内の最も上側に設けられているコイル導体層３４ａに対して上側に設けられている。これにより、コイル導体層３４ａと直列コイル導体層３６との間に容量を発生させている。このとき、１次コイルＬ１と２次コイルＬ２との間の容量は、主にコイル導体層３０ａとコイル導体層３２ａとの間の容量により形成される。２次コイルＬ２と３次コイルＬ３との間の容量は、主にコイル導体層３２ａとコイル導体層３４ａとの間の容量により形成される。３次コイルＬ３と１次コイルＬ１との間の容量は、主にコイル導体層３０ａとコイル導体層３４ａとの間の容量及び直列コイル導体層３６とコイル導体層３４ａとの間の容量により形成される。すなわち、電子部品１０では、３次コイルＬ３と１次コイルＬ１との間の容量が、間隔の大きいコイル導体層３０ａとコイル導体層３４ａとの間だけではなく、間隔が小さい直列コイル導体層３６とコイル導体層３４ａとの間でも形成される。これにより、１次コイルＬ１と２次コイルＬ２との間の差動インピーダンス（以下、差動インピーダンス１−２と呼ぶ）に寄与するＣと、２次コイルＬ２と３次コイルＬ３との間の差動インピーダンス（以下、差動インピーダンス２−３と呼ぶ）に寄与するＣと、３次コイルＬ３と１次コイルＬ１との間の差動インピーダンス（以下、差動インピーダンス３−１と呼ぶ）に寄与するＣとが近づくようになる。その結果、差動インピーダンス１−２、差動インピーダンス２−３及び差動インピーダンス３−１が近づき、差異を低減できる。 
【００６８】
また、電子部品１０によれば、前記の通り、１次コイルＬ１の電流経路の長さと２次コイルＬ２の電流経路の長さと３次コイルＬ３の電流経路の長さとは実質的に等しい。更に、１次コイルＬ１の断面積と２次コイルＬ２の断面積と３次コイルＬ３の断面積とは実質的に等しい。その結果、１次コイルＬ１の電気抵抗値と２次コイルＬ２の抵抗値と３次コイルＬ３の抵抗値とは互いに実質的に等しくなる。よって、１次コイルＬ１〜３次コイルＬ３に流れる電流量を近づけることが可能となり、１次コイルＬ１〜３次コイルＬ３の発熱量を近づけることが可能となる。すなわち、各信号の損失の差異を低減できる。
【００６９】
また、１次コイルＬ１の抵抗値と２次コイルＬ２の抵抗値と３次コイルＬ３の抵抗値とが互いに実質的に等しくなると、電子部品１０の方向性がなくなる。外部電極１４ａ〜１４ｃが入力端子として用いられ、外部電極１４ｄ〜１４ｆが出力端子として用いられてもよいし、外部電極１４ａ〜１４ｃが出力端子として用いられ、外部電極１４ｄ〜１４ｆが入力端子として用いられてもよい。その結果、電子部品１０において、実装時に電子部品１０の方向を識別する必要がなくなり、方向識別マークが不要となる。また、１次コイルＬ１、２次コイルＬ２及び３次コイルＬ３の特性が実質的に等しくなるので、３つの信号を１次コイルＬ１、２次コイルＬ２及び３次コイルＬ３のいずれに入力させてもよい。その結果、電子部品１０が実装される回路基板の配線レイアウトが電子部品１０によって制限されない。
【００７０】
また、電子部品１０によれば、コイル導体層３０ａの発熱量と直列コイル導体層３６の発熱量とを近づけることができる。より詳細には、コイル導体層３０ａの断面積と直列コイル導体層３６の断面積とが実質的に等しい。また、コイル導体層３０ａの長さ（巻き数）と直列コイル導体層３６の長さ（巻き数）とは実質的に等しい。よって、コイル導体層３０ａの抵抗値と直列コイル導体層３６の抵抗値とが実質的に等しくなる。また、コイル導体層３０ａと直列コイル導体層３６とは電気的に直列に接続されているので、コイル導体層３０ａと直列コイル導体層３６とに流れる電流は実質的に等しく、コイル導体層３０ａと直列コイル導体層３６とにかかる電圧も実質的に等しい。よって、コイル導体層３０ａの発熱量と直列コイル導体層３６の発熱量とを近づけることができる。
【００７１】
また、電子部品１０では、コイル導体層３０ａの厚み、コイル導体層３２ａの厚み、コイル導体層３４ａの厚み及び直列コイル導体層３６の厚みは、互いに実質的に等しい。そのため、コイル導体層３０ａ，３２ａ，３４ａ及び直列コイル導体層３６を同じ形成条件で形成することが可能となる。その結果、電子部品１０を容易に製造できる。
【００７２】
本願発明者は、電子部品１０において、差動インピーダンス１−２、差動インピーダンス２−３及び差動インピーダンス３−１の差異が低減されることを明らかにするために、以下に説明するコンピュータシミュレーションを行った。図５は、比較例に係る電子部品３１０を上側から透視した図である。図５では、コイル導体層３３０ａ，３２ａ，３４ａ、引き出し導体層３４０，４２，４４，６０，３６２，６４、接続導体７０ａ〜７０ｆ及び層間接続導体ｖ１〜ｖ３を示した。電子部品３１０において、電子部品１０と同じ構成については、同じ参照符号を付した。
【００７３】
本願発明者は、実施例に係る第１のモデルとして、電子部品１０と同じ構造を有するモデルを作成した。また、比較例に係る第２のモデルとして、図５に示す比較例に係る電子部品３１０と同じ構造を有するモデルを作成した。以下に、電子部品３１０について説明する。電子部品３１０は、直列コイル導体層３６が設けられていない点、及び、コイル導体層３３０ａが約４周分の長さを有する点において電子部品１０と相違する。また、コイル導体層３３０ａの内周側の端部は、層間接続導体ｖ１及び引き出し導体層３６２を介して接続導体７０ｅに接続されている。
【００７４】
以上のような第１のモデル及び第２のモデルにおいて、差動インピーダンス１−２、差動インピーダンス２−３及び差動インピーダンス３−１を演算した。演算にあたって、例えば、差動インピーダンス１−２を演算する際には、１次コイルＬ１と２次コイルＬ２とに差動信号を入力し、３次コイルＬ３を接地電位に対して５０Ωで終端した。
【００７５】
図６は、第１のモデルのシミュレーション結果を示したグラフである。図７は、第２のモデルのシミュレーション結果を示したグラフである。図６及び図７において、縦軸は差動インピーダンスを示し、横軸は周波数を示す。
【００７６】
図７に示すように、第２のモデルでは、差動インピーダンス３−１は、低周波から数ＧＨｚの広帯域にわたって、差動インピーダンス１−２及び差動インピーダンス２−３よりも大きくなっていることが分かる。
【００７７】
一方、図６に示すように、第１のモデルでは、差動インピーダンス１−２と差動インピーダンス２−３と差動インピーダンス３−１とは、低周波から数ＧＨｚの広帯域にわたって、略等しい値が得られていることが分かる。よって、電子部品１０では、差動インピーダンス１−２、差動インピーダンス２−３及び差動インピーダンス３−１の差異が低減されることが分かる。
【００７８】
（第１の変形例）
以下に、第１の変形例に係る電子部品１０ａの構成について図面を参照しながら説明する。図８は、電子部品１０のコイル導体層３０ａ，３２ａ，３４ａ、直列コイル導体層３６及び引き出し導体層６０，６４の位置関係を示した模式図である。図９は、電子部品１０ａのコイル導体層３０ａ，３２ａ，３４ａ，３０ｂ，３２ｂ，３４ｂ，３０ｃ，３２ｃ，３４ｃ、直列コイル導体層３６及び引き出し導体層６０，６４の位置関係を示した模式図である。
【００７９】
電子部品１０では、１次コイルＬ１が１個のコイル導体層３０ａ及び１個の直列コイル導体層３６を含み、２次コイルＬ２が１個のコイル導体層３２ａを含み、３次コイルＬ３が１個のコイル導体層３４ａを含んでいる。一方、電子部品１０ａでは、１次コイルＬ１が３個のコイル導体層３０ａ，３０ｂ，３０ｃ及び１個の直列コイル導体層３６を含み、２次コイルＬ２が３個のコイル導体層３２ａ，３２ｂ，３２ｃを含み、３次コイルＬ３が３個のコイル導体層３４ａ，３４ｂ，３４ｃを含んでいる。従って、以下に説明するように、コイル導体層３０ａ，３２ａ，３４ａ，３０ｂ，３２ｂ，３４ｂ，３０ｃ，３２ｃ，３４ｃ及び直列コイル導体層３６の配置において、電子部品１０と電子部品１０ａとの間には相違点が存在する。
【００８０】
電子部品１０では、図８に示すように、コイル導体層３０ａ、コイル導体層３２ａ及びコイル導体層３４ａが１つずつ下側から上側へとこの順に並ぶことにより１つのコイル導体層群Ｇａが構成されている。そして、直列コイル導体層３６は、コイル導体層３０ａに対して電気的に直列に接続されており、かつ、コイル導体層３４ａに対して上側に設けられている。
【００８１】
一方、電子部品１０ａは、図９に示すように、コイル導体層３０ａ、コイル導体層３２ａ及びコイル導体層３４ａが１つずつ下側から上側へとこの順に並ぶことにより１つのコイル導体層群Ｇａが構成され、コイル導体層３０ｂ、コイル導体層３２ｂ及びコイル導体層３４ｂが１つずつ下側から上側へとこの順に並ぶことにより１つのコイル導体層群Ｇｂが構成され、コイル導体層３０ｃ、コイル導体層３２ｃ及びコイル導体層３４ｃが１つずつ下側から上側へとこの順に並ぶことにより１つのコイル導体層群Ｇｃが構成されている。コイル導体層群Ｇａ，Ｇｂ，Ｇｃは、下側から上側へと並んでいる。そして、直列コイル導体層３６は、コイル導体層３０ａ〜３０ｃに対して電気的に直列に接続されており、かつ、最も上側に設けられているコイル導体層３４ｃに対して上側に設けられている。
【００８２】
以下に、電子部品１０ａの構成について図面を参照しながらより詳細に説明する。電子部品１０ａの外観斜視図については、図１を援用する。図１０は、電子部品１０ａの断面構造図である。図１０では、図１のＡ−Ａに相当する部分における電子部品１０ａの断面構造を示した。
【００８３】
電子部品１０ａの外部電極１４ａ〜１４ｆ、接続部１６ａ〜１６ｆ、磁性体基板２０ａ，２０ｂ及び磁性体層２４については、電子部品１０の外部電極１４ａ〜１４ｆ、接続部１６ａ〜１６ｆ及び磁性体基板２０ａ，２０ｂと同じであるので説明を省略する。
【００８４】
コイル導体層３０ａ，３２ａ，３４ａはそれぞれ、上側から見たときに、時計回りに周回しながら外周側から内周側に向かう渦巻状をなしている。本実施形態では、コイル導体層３０ａ（所定の第１のコイル導体層の一例）は、約２周分の長さを有している。コイル導体層３２ａ，３４ａは、約４周分の長さを有している。
【００８５】
コイル導体層３０ｂ，３２ｂ，３４ｂはそれぞれ、上側から見たときに、時計回りに周回しながら内周側から外周側に向かう渦巻状をなしている。本実施形態では、コイル導体層３０ｂ，３２ｂ，３４ｂは、約４周分の長さを有している。
【００８６】
コイル導体層３０ａの内周側の端部とコイル導体層３０ｂの内周側の端部とは、層間接続導体（図示せず）により接続されている。コイル導体層３２ａの内周側の端部とコイル導体層３２ｂの内周側の端部とは、層間接続導体（図示せず）により接続されている。コイル導体層３４ａの内周側の端部とコイル導体層３４ｂの内周側の端部とは、層間接続導体（図示せず）により接続されている。
【００８７】
コイル導体層３０ｃ，３２ｃ，３４ｃはそれぞれ、上側から見たときに、時計回りに周回しながら外周側から内周側に向かう渦巻状をなしている。本実施形態では、コイル導体層３０ｃ，３２ｃ，３４ｃは、約４周分の長さを有している。
【００８８】
コイル導体層３０ｂの外周側の端部とコイル導体層３０ｃの外周側の端部とは、層間接続導体（図示せず）により接続されている。コイル導体層３２ｂの外周側の端部とコイル導体層３２ｃの外周側の端部とは、層間接続導体（図示せず）により接続されている。コイル導体層３４ｂの外周側の端部とコイル導体層３４ｃの外周側の端部とは、層間接続導体（図示せず）により接続されている。また、コイル導体層３０ｃの内周側の端部と直列コイル導体層３６の内周側の端部とは、層間接続導体層（図示せず）により接続されている。
【００８９】
以上の構成により、コイル導体層３０ａ，３０ｂ，３０ｃ及び直列コイル導体層３６は、下側から上側へとこの順に並ぶと共に、この順に電気的に直列に接続されている。コイル導体層３２ａ，３２ｂ，３２ｃは、下側から上側へとこの順に並ぶと共に、この順に電気的に直列に接続されている。コイル導体層３４ａ，３４ｂ，３４ｃは、下側から上側へとこの順に並ぶと共に、この順に電気的に直列に接続されている。
【００９０】
また、直列コイル導体層３６の外周側の端部は、引き出し部５３と同じ構造を有する接続部（図示せず）を介して外部電極１４ｅに電気的に接続されている。コイル導体層３２ｃの内周側の端部は、引き出し部５４と同じ構造を有する接続部（引き出し導体層６０のみ図８に図示）を介して外部電極１４ｄに電気的に接続されている。コイル導体層３４ｃの内周側の端部は、引き出し部５５と同じ構造を有する接続部（引き出し導体層６４のみ図８に図示）を介して外部電極１４ｆに電気的に接続されている。
【００９１】
また、コイル導体層３０ａ，３０ｂ，３０ｃの断面積、直列コイル導体層３６の断面積、コイル導体層３２ａ，３２ｂ，３２ｃの断面積、及び、コイル導体層３４ａ，３４ｂ，３４ｃの断面積は、実質的に等しい。更に、コイル導体層３０ａ，３０ｂ，３０ｃ，３２ａ，３２ｂ，３２ｃ，３４ａ，３４ｂ，３４ｃ及び直列コイル導体層３６の隣り合うもの同士の上下方向の間隔は、実質的に等しい。
【００９２】
また、直列コイル導体層３６の巻き数（２周）と３個のコイル導体層３０ａ〜３０ｃの内のコイル導体層３０ａ（所定の第１のコイル導体層）の巻き数（２周）との和は、３個のコイル導体層３０ａ〜３０ｃの内のコイル導体層３０ａを除くコイル導体層３０ｂ，３０ｃの巻き数（４周）と等しい。
【００９３】
以上のように構成された電子部品１０ａにおいても、電子部品１０と同様の作用効果を奏することができる。
【００９４】
また、電子部品１０ａでは、以下の理由により、１次コイルＬ１、２次コイルＬ２及び３次コイルＬ３において高いインダクタンス値を得ることができる。以下に、１次コイルＬ１を例に挙げて説明する。１次コイルＬ１は、コイル導体層３０ａ，３０ｂ，３０ｃ及び直列コイル導体層３６が電気的に直列に接続された構造を有している。そのため、電子部品１０ａの１次コイルＬ１は、電子部品１０の１次コイルＬ１に比べて、高いインダクタンス値を有するようになる。同じ理由により、電子部品１０ａの２次コイルＬ２及び３次コイルＬ３はそれぞれ、電子部品１０の２次コイルＬ２及び３次コイルＬ３に比べて、高いインダクタンス値を有するようになる。
【００９５】
なお、電子部品１０ａは、３つのコイル導体層群Ｇａ，Ｇｂ，Ｇｃを有しているが、２つ又は４つ以上のコイル導体層群を有していてもよい。以下に、電子部品１０ａがｎ個（ｎは自然数）のコイル導体層群Ｇａ，Ｇｂ…を有している場合について説明する。
【００９６】
電子部品１０ａがｎ個のコイル導体層群Ｇａ，Ｇｂ…を有している場合には、１次コイルＬ１は、渦巻状をなすｎ個のコイル導体層３０ａ，３０ｂ…及び渦巻状をなす直列コイル導体層３６を含む。２次コイルＬ２は、渦巻状をなすｎ個のコイル導体層３２ａ，３２ｂ…を含む。３次コイルＬ３は、渦巻状をなすｎ個のコイル導体層３４ａ，３４ｂ…を含む。そして、コイル導体層３０ａ，３２ａ，３４ａが１つずつ下側から上側へとこの順に並ぶことにより１つのコイル導体層群Ｇａが構成されている。コイル導体層３０ｂ，３２ｂ，３４ｂが１つずつ下側から上側へとこの順に並ぶことにより１つのコイル導体層群Ｇｂが構成されている。コイル導体層群Ｇａ，Ｇｂと同じように、コイル導体層群Ｇｃ以降のコイル導体層群が構成されている。そして、ｎ個のコイル導体層群Ｇａ，Ｇｂ…は、下側から上側へとこの順に並んでいる。
【００９７】
また、コイル導体層３０ａ（所定の１次コイル導体層の一例）の最も外周側を周回している部分と最も内周側を周回している部分との中間線と、コイル導体層３２ａ（所定の１次コイル導体層と積層方向に隣り合う２次コイル導体層の一例）の最も外周側を周回している部分と最も内周側を周回している部分との中間線とは、上側から見たときに、少なくとも一部において互いに重なっている。
【００９８】
直列コイル導体層３６は、ｎ個のコイル導体層３０ａ，３０ｂ…（例えば、コイル導体層３０※（※はｎ番目のアルファベット））に対して電気的に直列に接続されている。本実施形態では、直列コイル導体層３６は、コイル導体層３０※（※はｎ番目のアルファベット）に対して電気的に直列に接続されている。すなわち、電子部品１０ａでは、ｎ個のコイル導体層３０ａ，３０ｂ…及び直列コイル導体層３６は、この順に電気的に直列に接続されている。更に、直列コイル導体層３６は、ｎ個のコイル導体層３４ａ，３４ｂ…の内の最も上側に設けられているコイル導体層３４※に対して上側に設けられている。
【００９９】
以上のように、ｎ個のコイル導体層３０ａ，３０ｂ…及び直列コイル導体層３６は、この順に電気的に直列に接続されることにより、電流経路が下側から上側へと進むようになり、電流経路の途中において上側から下側へと進むことがなくなる。これにより、ｎ個のコイル導体層３０ａ，３０ｂ…及び直列コイル導体層３６の層間接続構造が単純化される。
【０１００】
更に、直列コイル導体層３６の最も外周側を周回している部分と最も内周側を周回している部分との中間線と、コイル導体層３４※（ｎ個の３次コイル導体層の内の該積層方向の最も他方側に位置する３次コイル導体層の一例）の最も外周側を周回している部分と最も内周側を周回している部分との中間線とは、少なくとも一部において互いに重なっている。
【０１０１】
また、ｎ個のコイル導体層３０ａ，３０ｂ…の断面積、直列コイル導体層３６の断面積、ｎ個のコイル導体層３２ａ，３２ｂ…の断面積、及び、ｎ個のコイル導体層３４ａ，３４ｂ…の断面積は、実質的に等しい。更に、ｎ個のコイル導体層３０ａ，３０ｂ…、ｎ個のコイル導体層３２ａ，３２ｂ…、ｎ個のコイル導体層３４ａ，３４ｂ…及び直列コイル導体層３６の隣り合うもの同士の上下方向の間隔は、実質的に等しい。
【０１０２】
ここで、ｎが奇数である場合について説明する。この場合には、コイル導体層３０ａ，３０ｂ…はそれぞれ、第１の１次コイル導体層ないし第ｎの１次コイル導体層である。そして、第ｍ（ｍは、１以上ｎ以下の奇数の全て）の１次コイル導体層は、上側から見たときに時計回りに周回しながら外周側から内周側に向かう渦巻状をなしている。第ｋ（ｋは、２以上ｎ−１以下の偶数の全て）の１次コイル導体層及び直列コイル導体層３６は、上側から見たときに時計回りに周回しながら内周側から外周側に向かう渦巻状をなしている。そして、第１の１次コイル導体層ないし第ｎの１次コイル導体層及び直列１次コイル導体層は、この順に電気的に直列に接続されている。また、コイル導体層３０ａ（ｎ個の１次コイル導体層の内の積層方向の最も一方側に位置する１次コイル導体層）の巻き数と、直列コイル導体層３６の巻き数とが実質的に等しい。本実施例では、コイル導体層３０ａの巻き数及び直列コイル導体層３６の巻き数は、約２周である。
【０１０３】
また、コイル導体層３２ａ，３２ｂ…はそれぞれ、第１の２次コイル導体層ないし第ｎの２次コイル導体層である。そして、第ｍ（ｍは、１以上ｎ以下の奇数の全て）の２次コイル導体層は、上側から見たときに時計回りに周回しながら外周側から内周側に向かう渦巻状をなしている。第ｋ（ｋは、２以上ｎ−１以下の偶数の全て）の２次コイル導体層は、上側から見たときに時計回りに周回しながら内周側から外周側に向かう渦巻状をなしている。そして、第１の２次コイル導体層ないし第ｎの２次コイル導体層は、この順に電気的に直列に接続されている。
【０１０４】
また、コイル導体層３４ａ，３４ｂ…はそれぞれ、第１の３次コイル導体層ないし第ｎの３次コイル導体層である。そして、第ｍ（ｍは、１以上ｎ以下の奇数の全て）の３次コイル導体層は、上側から見たときに時計回りに周回しながら外周側から内周側に向かう渦巻状をなしている。第ｋ（ｋは、２以上ｎ−１以下の偶数の全て）の３次コイル導体層は、上側から見たときに時計回りに周回しながら内周側から外周側に向かう渦巻状をなしている。そして、第１の３次コイル導体層ないし第ｎの３次コイル導体層は、この順に電気的に直列に接続されている。
【０１０５】
（第２の変形例）
以下に、第２の変形例に係る電子部品１０ｂの構成について図面を参照しながら説明する。電子部品１０ｂの外観斜視図は、電子部品１０と同じであるので、図１を援用する。図１１は、電子部品１０ｂの断面構造図である。図１１では、図１のＡ−Ａに相当する部分おける電子部品１０ｂの断面構造を示した。図１２は、電子部品１０ｂを上側から透視した図である。図１２では、コイル導体層３０ａ，３２ａ，３４ａ、直列コイル導体層３６、引き出し導体層４０，４２，４４，４６，６０，６４、接続導体７０ａ〜７０ｆ及び層間接続導体ｖ１〜ｖ３を示した。
【０１０６】
電子部品１０ｂは、コイル導体層３０ａとコイル導体層３２ａとの位置関係、及び、コイル導体層３４ａと直列コイル導体層３６との位置関係において、電子部品１０と相違する。以下に、かかる相違点を中心に電子部品１０ｂについて説明する。
【０１０７】
コイル導体層３０ａは約２周分の長さを有している。コイル導体層３２ａは約４周分の長さを有している。コイル導体層３２ａは、図１１及び図１２に示すように、上側から見たときに、コイル導体層３０ａと重なっている。より詳細には、コイル導体層３０ａの最も外周側を周回している部分と、コイル導体層３２ａ（１次コイル導体層と積層方向に隣り合う２次コイル導体層の一例）の内の最も外周側を周回している部分とは、上側から見たときに、少なくとも一部において互いに重なっている。本実施例では、コイル導体層３０ａは、コイル導体層３２ａの外周側の２周分と重なっており、コイル導体層３２ａの内周側の２周分と重なっていない。
【０１０８】
また、コイル導体層３４ａは約４周分の長さを有している。直列コイル導体層３６は約２周分の長さを有している。直列コイル導体層３６の最も外周側を周回している部分と、コイル導体層３４ａ（ｎ個の３次コイル導体層の内の該積層方向の最も他方側に位置する３次コイル導体層）の最も外周側を周回している部分とは、上側から見たときに、少なくとも一部において互いに重なっている。本実施例では、直列コイル導体層３６は、コイル導体層３４ａの外周側の２周分と重なっており、コイル導体層３４ａの内周側の２周分と重なっていない。
【０１０９】
以上のような電子部品１０ｂにおいても、電子部品１０と同じ作用効果を奏することができる。より詳細には、電子部品１０ｂによれば、電子部品１０と同様に、差動インピーダンス１−２、差動インピーダンス２−３及び差動インピーダンス３−１の差異を低減することができる。また、電子部品１０ｂによれば、電子部品１０と同様に、１次コイルＬ１〜３次コイルＬ３の発熱量を近づけることが可能となる。また、電子部品１０ｂによれば、電子部品１０と同様に、実装時に電子部品１０ｂの方向を識別する必要がなくなり、方向識別マークが不要となる。また、電子部品１０ｂが実装される回路基板の配線レイアウトが電子部品１０ｂによって制限されない。また、電子部品１０ｂによれば、コイル導体層３０ａの発熱量と直列コイル導体層３６の発熱量とを近づけることができる。また、電子部品１０と同様に、電子部品１０ｂを容易に製造できる。
【０１１０】
本願発明者は、電子部品１０ｂにおいて、差動インピーダンス１−２、差動インピーダンス２−３及び差動インピーダンス３−１の差異が低減されることを明らかにするために、以下に説明するコンピュータシミュレーションを行った。本願発明者は、実施例に係る第３のモデルとして、電子部品１０ｂと同じ構造を有するモデルを作成した。そして、第３のモデルにおいて、差動インピーダンス１−２、差動インピーダンス２−３及び差動インピーダンス３−１を演算した。演算にあたって、例えば、差動インピーダンス１−２を演算する際には、１次コイルＬ１と２次コイルＬ２とに差動信号を入力し、３次コイルＬ３を接地電位に対して５０Ωで終端した。
【０１１１】
図１３は、第３のモデルのシミュレーション結果を示したグラフである。図１３において、縦軸は差動インピーダンスを示し、横軸は周波数を示す。
【０１１２】
図１３及び図７に示すように、第３のモデルでは第２のモデルよりも、低周波から数ＧＨｚの広帯域にわたって、差動インピーダンス１−２、差動インピーダンス２−３及び差動インピーダンス３−１の差異が低減されていることが分かる。よって、電子部品１０ｂでは、差動インピーダンス１−２、差動インピーダンス２−３及び差動インピーダンス３−１の差異が低減されることが分かる。
【０１１３】
なお、電子部品１０ｂが電子部品１０ａと同じようにｎ個のコイル導体層群Ｇａ，Ｇｂ…を有している場合について説明する。１次コイルＬ１は、ｎ個のコイル導体層３０ａ，３０ｂ…及び直列コイル導体層３６を含む。２次コイルＬ２は、ｎ個のコイル導体層３２ａ，３２ｂ…を含む。３次コイルＬ３は、ｎ個のコイル導体層３４ａ，３４ｂ…を含む。そして、コイル導体層３０ａ，３２ａ，３４ａが１つずつ下側から上側へとこの順に並ぶことにより１つのコイル導体層群Ｇａが構成されている。コイル導体層３０ｂ，３２ｂ，３４ｂが１つずつ下側から上側へとこの順に並ぶことにより１つのコイル導体層群Ｇｂが構成されている。コイル導体層群Ｇａ，Ｇｂと同じように、コイル導体層群Ｇｃ以降のコイル導体層群が構成されている。そして、ｎ個のコイル導体層群Ｇａ，Ｇｂ…は、下側から上側へとこの順に並んでいる。
【０１１４】
直列コイル導体層３６は、ｎ個のコイル導体層３０ａ，３０ｂ…に対して電気的に直列に接続されている。直列コイル導体層３６は、コイル導体層３０※（※はｎ番目のアルファベット）に対して電気的に直列に接続されている。これにより、電子部品１０ｂでは、ｎ個のコイル導体層３０ａ，３０ｂ…及び直列コイル導体層３６は、この順に電気的に直列に接続されている。更に、直列コイル導体層３６は、ｎ個のコイル導体層３４ａ，３４ｂ…の内の最も上側に設けられているコイル導体層３４※（※はｎ番目のアルファベット）に対して上側に設けられている。
【０１１５】
以上のように、ｎ個のコイル導体層３０ａ，３０ｂ…及び直列コイル導体層３６は、この順に電気的に直列に接続されることにより、電流経路が下側から上側へと進むようになり、電流経路の途中において上側から下側へと進むことがなくなる。これにより、ｎ個のコイル導体層３０ａ，３０ｂ…及び直列コイル導体層３６の層間接続構造が単純化される。
【０１１６】
また、コイル導体層３０ａの最も外周側を周回している部分と、コイル導体層３２ａ（１次コイル導体層と積層方向に隣り合う２次コイル導体層の一例）の内の最も外周側を周回している部分とは、上側から見たときに、少なくとも一部において互いに重なっている。直列コイル導体層３６の最も外周側を周回している部分と、コイル導体層３４※（※はｎ番目のアルファベット）（ｎ個の３次コイル導体層の内の積層方向の最も一方側に位置する３次コイル導体層の一例）の最も外周側を周回している部分とは、上側から見たときに、少なくとも一部において互いに重なっている。
【０１１７】
（第３の変形例）
以下に、第３の変形例に係る電子部品１０ｃの構成について図面を参照しながら説明する。電子部品１０ｃの外観斜視図は、電子部品１０と同じであるので、図１を援用する。図１４は、電子部品１０ｃの断面構造図である。図１４では、図１のＡ−Ａに相当する部分おける電子部品１０ｃの断面構造を示した。図１５は、電子部品１０ｃを上側から透視した図である。図１５では、コイル導体層３０ａ，３２ａ，３４ａ、直列コイル導体層３６、引き出し導体層４０，４２，４４，４６，６０，６４、接続導体７０ａ〜７０ｆ及び層間接続導体ｖ１〜ｖ３を示した。
【０１１８】
電子部品１０ｃは、コイル導体層３０ａとコイル導体層３２ａとの位置関係、及び、コイル導体層３４ａと直列コイル導体層３６との位置関係において、電子部品１０と相違する。以下に、かかる相違点を中心に電子部品１０ｃについて説明する。
【０１１９】
コイル導体層３０ａは約２周分の長さを有している。コイル導体層３２ａは約４周分の長さを有している。コイル導体層３２ａは、図１３及び図１４に示すように、上側から見たときに、コイル導体層３０ａと重なっている。より詳細には、コイル導体層３０ａの最も外周側を周回している部分と、コイル導体層３２ａ（１次コイル導体層と積層方向に隣り合う２次コイル導体層の一例）の内の最も外周側を周回している部分とは、上側から見たときに、少なくとも一部において互いに重なっている。本実施例では、コイル導体層３０ａは、コイル導体層３２ａの外周側の２周分と重なっており、コイル導体層３２ａの内周側の２周分と重なっていない。
【０１２０】
また、コイル導体層３４ａは約４周分の長さを有している。直列コイル導体層３６は約２周分の長さを有している。直列コイル導体層３６の最も内周側を周回している部分と、コイル導体層３４ａ（ｎ個の３次コイル導体層の内の該積層方向の最も他方側に位置する３次コイル導体層の一例）の最も内周側を周回している部分とは、上側方向から見たときに、少なくとも一部において互いに重なっている。本実施例では、直列コイル導体層３６は、コイル導体層３４ａの内周側の２周分と重なっており、コイル導体層３４ａの外周側の２周分と重なっていない。
【０１２１】
以上のような電子部品１０ｃにおいても、電子部品１０と同じ作用効果を奏することができる。より詳細には、電子部品１０ｃによれば、電子部品１０と同様に、差動インピーダンス１−２、差動インピーダンス２−３及び差動インピーダンス３−１の差異を低減することができる。また、電子部品１０ｃによれば、電子部品１０と同様に、１次コイルＬ１〜３次コイルＬ３の発熱量を近づけることが可能となる。また、電子部品１０ｃによれば、電子部品１０と同様に、実装時に電子部品１０ｃの方向を識別する必要がなくなり、方向識別マークが不要となる。また、電子部品１０ｃが実装される回路基板の配線レイアウトが電子部品１０ｃによって制限されない。また、電子部品１０ｃによれば、コイル導体層３０ａの発熱量と直列コイル導体層３６の発熱量とを近づけることができる。電子部品１０と同様に、電子部品１０ｃを容易に製造できる。
【０１２２】
また、電子部品１０ｃでは、１次コイルＬ１〜３次コイルＬ３の電流経路の長さをそろえやすくなる。より詳細には、コイル導体層３０ａの最も外周側を周回している部分と、コイル導体層３２ａの内の最も外周側を周回している部分とは、上側から見たときに、少なくとも一部において互いに重なっている。直列コイル導体層３６の最も内周側を周回している部分と、コイル導体層３４ａの最も内周側を周回している部分とは、上側方向から見たときに、少なくとも一部において互いに重なっている。これにより、コイル導体層３０ａと直列コイル導体層３６とを合わせた形状とコイル導体層３２ａ，３４ａの形状とを近づけることができる。その結果、１次コイルＬ１〜３次コイルＬ３の電流経路の長さをそろえやすくなる。
【０１２３】
本願発明者は、電子部品１０ｃにおいて、差動インピーダンス１−２、差動インピーダンス２−３及び差動インピーダンス３−１の差異が低減されることを明らかにするために、以下に説明するコンピュータシミュレーションを行った。本願発明者は、実施例に係る第４のモデルとして、電子部品１０ｃと同じ構造を有するモデルを作成した。そして、第４のモデルにおいて、差動インピーダンス１−２、差動インピーダンス２−３及び差動インピーダンス３−１を演算した。演算にあたって、例えば、差動インピーダンス１−２を演算する際には、１次コイルＬ１と２次コイルＬ２とに差動信号を入力し、３次コイルＬ３を接地電位に対して５０Ωで終端した。
【０１２４】
図１６は、第４のモデルのシミュレーション結果を示したグラフである。図１６において、縦軸は差動インピーダンスを示し、横軸は周波数を示す。
【０１２５】
図１６に示すように、第４のモデルでは、差動インピーダンス１−２と、差動インピーダンス２−３と、差動インピーダンス３−１とは、低周波から数ＧＨｚの広帯域にわたって、比較的に近い値が得られていることが分かる。よって、電子部品１０ｃでは、差動インピーダンス１−２、差動インピーダンス２−３及び差動インピーダンス３−１の差異が低減されることが分かる。
【０１２６】
なお、電子部品１０ｃが電子部品１０ａと同じようにｎ個のコイル導体層群Ｇａ，Ｇｂ…を有している場合について説明する。１次コイルＬ１は、ｎ個のコイル導体層３０ａ，３０ｂ…及び直列コイル導体層３６を含む。２次コイルＬ２は、ｎ個のコイル導体層３２ａ，３２ｂ…を含む。３次コイルＬ３は、ｎ個のコイル導体層３４ａ，３４ｂ…を含む。そして、コイル導体層３０ａ，３２ａ，３４ａが１つずつ下側から上側へとこの順に並ぶことにより１つのコイル導体層群Ｇａが構成されている。コイル導体層３０ｂ，３２ｂ，３４ｂが１つずつ下側から上側へとこの順に並ぶことにより１つのコイル導体層群Ｇｂが構成されている。コイル導体層群Ｇａ，Ｇｂと同じように、コイル導体層群Ｇｃ以降のコイル導体層群が構成されている。そして、ｎ個のコイル導体層群Ｇａ，Ｇｂ…は、下側から上側へとこの順に並んでいる。
【０１２７】
直列コイル導体層３６は、ｎ個のコイル導体層３０ａ，３０ｂ…に対して電気的に直列に接続されている。更に、直列コイル導体層３６は、ｎ個のコイル導体層３４ａ，３４ｂ…の内の最も上側に設けられているコイル導体層３４※（※はｎ番目のアルファベット）に対して上側に設けられている。
【０１２８】
また、コイル導体層３０ａ（ｎ個の１次コイル導体層の内の積層方向の最も一方側に位置する１次コイル導体層の一例）は、上側から見たときに、コイル導体層３２ａ（ｎ個の２次コイル導体層の内の積層方向の最も一方側に位置する２次コイル導体層の一例）の最も外周側を周回している部分の少なくとも一部と重なり、かつ、コイル導体層３２ａの最も内周側を周回している部分と重なっていない。更に、直列コイル導体層３６は、上側から見たときに、コイル導体層３４※（※はｎ番目のアルファベット）（ｎ個の３次コイル導体層の内の積層方向の最も一方側に位置する３次コイル導体層の一例）の最も内周側を周回している部分の少なくとも一部と重なり、かつ、コイル導体層３４※の最も外周側を周回している部分と重なっていない。
【０１２９】
なお、電子部品１０ｃにおいて、コイル導体層３０ａと直列コイル導体層３６との位置関係が入れ替わっていてもよい。具体的には、コイル導体層３０ａの最も内周側を周回している部分と、コイル導体層３２ａ（１次コイル導体層と積層方向に隣り合う２次コイル導体層の一例）の内の最も内周側を周回している部分とは、上側から見たときに、少なくとも一部において互いに重なっている。直列コイル導体層３６の最も外周側を周回している部分と、コイル導体層３４ａ（ｎ個の３次コイル導体層の内の該積層方向の最も他方側に位置する３次コイル導体層の一例）の最も外周側を周回している部分とは、上側方向から見たときに、少なくとも一部において互いに重なっている。
【０１３０】
（第４の変形例）
以下に、第４の変形例に係る電子部品１０ｄの構成について図面を参照しながら説明する。電子部品１０ｄの外観斜視図は、電子部品１０と同じであるので、図１を援用する。図１７は、電子部品１０ｄの断面構造図である。図１７では、図１のＡ−Ａに相当する部分おける電子部品１０ｄの断面構造を示した。図１８は、電子部品１０ｄを上側から透視した図である。図１８では、コイル導体層３０ａ，３２ａ，３４ａ、直列コイル導体層３６、引き出し導体層４０，４２，４４，４６，６０，６４、接続導体７０ａ〜７０ｆ及び層間接続導体ｖ１〜ｖ３を示した。
【０１３１】
電子部品１０ｄは、コイル導体層３０ａとコイル導体層３２ａとの位置関係、及び、コイル導体層３４ａと直列コイル導体層３６との位置関係において、電子部品１０と相違する。以下に、かかる相違点を中心に電子部品１０ｄについて説明する。
【０１３２】
コイル導体層３０ａは約３周分の長さを有している。コイル導体層３２ａは約４周分の長さを有している。コイル導体層３２ａは、図１１及び図１２に示すように、上側から見たときに、コイル導体層３０ａと重なっている。より詳細には、コイル導体層３０ａの最も外周側を周回している部分と、コイル導体層３２ａの内の最も外周側を周回している部分とは、上側から見たときに、少なくとも一部において互いに重なっている。本実施例では、コイル導体層３０ａは、コイル導体層３２ａの外周側の３周分と重なっており、コイル導体層３２ａの内周側の１周分と重なっていない。
【０１３３】
また、コイル導体層３４ａは約４周分の長さを有している。直列コイル導体層３６は約１周分の長さを有している。直列コイル導体層３６の最も外周側を周回している部分と、コイル導体層３４ａの内の最も外周側を周回している部分とは、上側から見たときに、少なくとも一部において互いに重なっている。本実施例では、直列コイル導体層３６は、コイル導体層３４ａの外周側の１周分と重なっており、コイル導体層３４ａの内周側の３周分と重なっていない。
【０１３４】
以上のような電子部品１０ｄにおいても、電子部品１０と同じ作用効果を奏することができる。より詳細には、電子部品１０ｄによれば、電子部品１０と同様に、差動インピーダンス１−２、差動インピーダンス２−３及び差動インピーダンス３−１の差異を低減することができる。また、電子部品１０ｄによれば、電子部品１０と同様に、１次コイルＬ１〜３次コイルＬ３の発熱量を近づけることが可能となる。また、電子部品１０ｄによれば、電子部品１０と同様に、実装時に電子部品１０ｄの方向を識別する必要がなくなり、方向識別マークが不要となる。また、電子部品１０ｄが実装される回路基板の配線レイアウトが電子部品１０ｄによって制限されない。また、電子部品１０ｄによれば、コイル導体層３０ａの発熱量と直列コイル導体層３６の発熱量とを近づけることができる。電子部品１０と同様に、電子部品１０ｄを容易に製造できる。
【０１３５】
本願発明者は、電子部品１０ｄにおいて、差動インピーダンス１−２、差動インピーダンス２−３及び差動インピーダンス３−１の差異が低減されることを明らかにするために、以下に説明するコンピュータシミュレーションを行った。本願発明者は、実施例に係る第５のモデルとして、電子部品１０ｄと同じ構造を有するモデルを作成した。そして、第５のモデルにおいて、差動インピーダンス１−２、差動インピーダンス２−３及び差動インピーダンス３−１を演算した。演算にあたって、例えば、差動インピーダンス１−２を演算する際には、１次コイルＬ１と２次コイルＬ２とに差動信号を入力し、３次コイルＬ３を接地電位に対して５０Ωで終端した。
【０１３６】
図１９は、第５のモデルのシミュレーション結果を示したグラフである。図１９において、縦軸は差動インピーダンスを示し、横軸は周波数を示す。
【０１３７】
図１９に示すように、第５のモデルでは、差動インピーダンス１−２と差動インピーダンス２−３と差動インピーダンス３−１とは、低周波から数ＧＨｚの広帯域にわたって、比較的に近い値が得られていることが分かる。よって、電子部品１０ｄでは、差動インピーダンス１−２、差動インピーダンス２−３及び差動インピーダンス３−１の差異が低減されることが分かる。
【０１３８】
なお、第５のモデルでは、直列コイル導体層３６が１周分の長さしか有していない。そのため、第５のモデルでは第３のモデルよりも、コイル導体層３４ａ（３次コイルＬ３）と直列コイル導体層３６（１次コイルＬ１）との間に形成される容量が小さくなる。そのため、第５のモデルの差動インピーダンス３−１は、第３のモデルの差動インピーダンス３−１よりも大きくなる。ただし、第５のモデルの差動インピーダンス３−１は、第２のモデルの差動インピーダンス３−１よりも小さい。故に、電子部品１０ｄでは、差動インピーダンス１−２、差動インピーダンス２−３及び差動インピーダンス３−１の差異が低減されている。なお、１次コイル導体層と直列コイル導体層３６とは異なる巻き数であってもよい。
【０１３９】
（電子部品１０，１０ｂ，１０ｃの比較）
以下に、電子部品１０，１０ｂ，１０ｃの特性について、図６、図７、図１３及び図１６を参照しながら比較する。また、図２０は、電子部品１０のコイル導体層３０ａ，３２ａ，３４ａ及び直列コイル導体層３６の間に発生する容量を説明する断面模式図である。図２１は、電子部品１０ｂのコイル導体層３０ａ，３２ａ，３４ａ及び直列コイル導体層３６の間に発生する容量を説明する断面模式図である。図２２は、電子部品１０ｃのコイル導体層３０ａ，３２ａ，３４ａ及び直列コイル導体層３６の間に発生する容量を説明する断面模式図である。図２０、図２１及び図２２において、実線は、１層の絶縁体層を介して上下方向に対向する２つのコイル導体を接続している。周期の長い鎖線（以下、第１の鎖線と呼ぶ）は、１層の絶縁体層を介して隣り合うと共に、かつ、前後方向に隣り合う２つのコイル導体層を接続している。周期の短い鎖線（以下、第２の鎖線と呼ぶ）は、以下の３種類の２つのコイル導体層を接続している。１種類目は、２層の絶縁体層を介して上下方向に対向する２つのコイル導体層である。２種類目は、２層の絶縁体層を介して隣り合うと共に、かつ、前後方向に隣り合う２つのコイル導体層である。３種類目は、１層の絶縁体層を介して隣り合うと共に、かつ、前後方向に１つのコイル導体層を挟んで隣り合う２つのコイル導体層である。
【０１４０】
ここで、実線が１番目に短く、第１の鎖線が２番目に短く、第２の鎖線が３番目に短い。従って、実線で接続されたコイル導体層同士の間に形成される容量が１番大きく、第１の鎖線で接続されたコイル導体層同士の間に形成される容量が２番目に大きく、第２の鎖線で接続されたコイル導体層同士の間に形成される容量が３番目に大きい。そして、実線、第１の鎖線及び第２の鎖線のそれぞれの本数が多い程、コイル導体層間に発生する容量が大きくなる。以下に、電子部品１０，１０ｂ，１０ｃのそれぞれの実線、第１の鎖線及び第２の鎖線の本数を表１ないし表３に示す。
【０１４１】
【表１】
0006558302.tif 000002
【０１４２】
【表２】
0006558302.tif 000003
【０１４３】
【表３】
0006558302.tif 000004
【０１４４】
コイル導体層３２ａとコイル導体層３４ａとは、４周分の長さで上下方向に対向している。一方、コイル導体層３０ａとコイル導体層３２ａとは、２周分の長さで上下方向に対向している。よって、コイル導体層３０ａとコイル導体層３２ａとの間に形成される容量（以下、第１の容量）は、コイル導体層３２ａとコイル導体層３４ａとの間に形成される容量（以下、第２の容量）よりも小さい。ただし、以下に説明するように、電子部品１０における第１の容量と第２の容量との差は、電子部品１０ｂ，１０ｃにおける第１の容量と第２の容量との差よりも小さい。
【０１４５】
コイル導体層３０ａとコイル導体層３２ａとを接続する実線の本数は、電子部品１０，１０ｂ，１０ｃのいずれにおいても等しい。一方、コイル導体層３０ａとコイル導体層３２ａとを接続する第１の鎖線及び第２の鎖線の本数はそれぞれ、電子部品１０の方が電子部品１０ｂ，１０ｃよりも多い。これは、電子部品１０ｂ，１０ｃでは、コイル導体層３０ａよりも前側又は後ろ側のいずれか一方にしかコイル導体層３２ａが位置していないのに対して、電子部品１０では、コイル導体層３０ａの前側及び後ろ側にコイル導体層３２ａが位置しているためである。これにより、電子部品１０における第２の容量は、電子部品１０ｂ，１０ｃにおける第２の容量よりも大きくなる。すなわち、電子部品１０における第１の容量と第２の容量との差は、電子部品１０ｂ，１０ｃにおける第１の容量と第２の容量との差よりも小さい。その結果、電子部品１０では電子部品１０ｂ，１０ｃよりも、差動インピーダンス１−２が差動インピーダンス２−３に近づくようになる。同じ理由により、電子部品１０では電子部品１０ｂ，１０ｃよりも、差動インピーダンス３−１が差動インピーダンス２−３に近づくようになる。
【０１４６】
以上の説明を踏まえて、電子部品１０の第１のモデルのシミュレーション結果（図６）と、電子部品１０ａの第３のモデルのシミュレーション結果（図１３）と、電子部品１０ｂの第４のモデルのシミュレーション結果（図１６）と、を比較する。図６に示すように、第１のモデルでは、低周波帯から自己共振点までの範囲において、３つの差動インピーダンスの差異が小さいことが分かる。一方、図１３及び図１６に示すように、第３のモデル及び第４のモデルでは、低周波帯から自己共振点までの範囲において、差動インピーダンス１−２及び差動インピーダンス３−１が、差動インピーダンス２−３よりも僅かに大きくなっていることが分かる。以上より、３つの差動インピーダンスの差異を低減するためには、電子部品１０の構造が好ましいことが分かる。すなわち、コイル導体層３０ａの巻き数がコイル導体層３２ａの巻き数の半分である。そして、コイル導体層３０ａの最も外周側を周回している部分と最も内周側を周回している部分との中間線と、コイル導体層３２ａの最も外周側を周回している部分と最も内周側を周回している部分との中間線とは、上側から見たときに、少なくとも一部において互いに重なっていることが好ましい。同様に、直列コイル導体層３６の巻き数がコイル導体層３４ａの巻き数の半分である。直列コイル導体層３６の最も外周側を周回している部分と最も内周側を周回している部分との中間線と、コイル導体層３４ａの最も外周側を周回している部分と最も内周側を周回している部分との中間線とは、少なくとも一部において互いに重なっていることが好ましい。これにより、１次コイルＬ１と２次コイルＬ２との間に形成される容量及び３次コイルＬ３と１次コイルＬ１との間に形成される容量が大きくなり、これらの容量が２次コイルＬ２と３次コイルＬ３との間に形成される容量に近づくようになる。よって、３つの差動インピーダンスが近づくようになる。
【０１４７】
ところで、図１３及び図１６に示すように、低周波帯から自己共振点までの範囲において、第４のモデル（電子部品１０ｂ）における差動インピーダンス３−１と差動インピーダンス１−２との差は、第３のモデル（電子部品１０ｃ）における差動インピーダンス３−１と差動インピーダンス１−２との差よりも小さくなっていることが分かる。以下に、図面を参照しながら理由を説明する。
【０１４８】
図２３は、第３のモデルのコイル導体層３０ａ，３２ａ，３４ａ及び直列コイル導体層３６の配置を示したグラフである。図２４は、第４のモデルのコイル導体層３０ａ，３２ａ，３４ａ及び直列コイル導体層３６の配置を示したグラフである。図２３及び図２４において、横軸は、位置を示している。位置とは、コイル導体層３２ａ，３４ａにより形成される螺旋状の軌道において、該軌道の外周側の端部からの距離を示している。そして、図２３及び図２４では、太線で示された区間にコイル導体層３０ａ，３２ａ，３４ａ及び直列コイル導体層３６が存在していることを意味する。
【０１４９】
図２３及び図２４に示すように、第３のモデル及び第４のモデルではコイル導体層３０ａとコイル導体層３２ａとが重なっている長さ（以下、単にＬａと呼ぶ）は４．０４μｍである。また、図２３に示すように、第３のモデルではコイル導体層３４ａと直列コイル導体層３６とが重なっている長さ（以下、単にＬｂと呼ぶ）は４．７８μｍ（４．４６μｍ＋０．３２μｍ）である。一方、図２４に示すように、第４のモデルではコイル導体層３４ａと直列コイル導体層３６とが重なっている長さＬｂは３．８０μｍである。従って、第３のモデルにおけるＬａ−Ｌｂの絶対値が０．７４μｍであるのに対して、第４のモデルにおけるＬａ−Ｌｂの絶対値が０．２４μｍである。よって、第４のモデルにおいてコイル導体層３４ａと直列コイル導体層３６との間に形成される容量とコイル導体層３０ａとコイル導体層３２ａとの間に形成される容量との差は、第３のモデルにおいてコイル導体層３４ａと直列コイル導体層３６との間に形成される容量とコイル導体層３０ａとコイル導体層３２ａとの間に形成される容量との差よりも小さい。その結果、図１３及び図１６に示すように、第４のモデルにおける差動インピーダンス３−１と差動インピーダンス１−２との差は、第３のモデルにおける差動インピーダンス３−１と差動インピーダンス１−２との差よりも小さくなる。このように、コイル導体層３０ａとコイル導体層３２ａとが重なっている長さを調整することにより、差動インピーダンス３−１と差動インピーダンス１−２との差を調整することができる。
【０１５０】
（第５の変形例）
以下に、第５の変形例に係る電子部品１０ｅの構成について図面を参照しながら説明する。電子部品１０ｅの外観斜視図は、電子部品１０と同じであるので、図１を援用する。図２５は、電子部品１０ｅの分解斜視図である。図２６は、電子部品１０ｅの断面構造図である。図２６では、図１のＡ−Ａに相当する部分おける電子部品１０ｅの断面構造を示した。図２７は、電子部品１０ｅを上側から透視した図である。図２７では、コイル導体層３０ａ，３２ａ，３４ａ、直列コイル導体層３６’、引き出し導体層４０，４２，４４，４６，６０，６４、接続導体７０ａ〜７０ｆ及び層間接続導体ｖ１〜ｖ３を示した。
【０１５１】
電子部品１０ｅは、絶縁体層２６ｂが設けられていない点、及び、引き出し導体層６０，６４と直列コイル導体層３６’とが絶縁体層２６ｃの上面上に設けられている点において、電子部品１０と相違する。以下に、かかる相違点を中心に電子部品１０ｅについて説明する。
【０１５２】
コイル導体層３０ａは、絶縁体層２６ｆの上面上に設けられており、上側から見たときに、時計回りに周回しながら外周側から内周側に向かう渦巻状をなしている。本実施形態では、コイル導体層３０ａは、約３周分の長さを有している。コイル導体層３０ａの中心は、上側から見たときに、電子部品１０ｅの中心（対角線交点）と略一致している。
【０１５３】
直列コイル導体層３６’は、コイル導体層３４ａに対して上側に設けられている。より詳細には、直列コイル導体層３６’は、絶縁体層２６ｃの上面上に設けられており、上側から見たときに、時計回りに周回しながら内周側から外周側に向かう渦巻状をなしている。本実施形態では、直列コイル導体層３６’は、約１周分の長さを有している。直列コイル導体層３６’の中心は、上側から見たときに、電子部品１０ｅの中心（対角線交点）と略一致している。ただし、電子部品１０ｅの直列コイル導体層３６’は、電子部品１０の直列コイル導体層３６に比べて前後方向に短い形状をなしている。これにより、直列コイル導体層３６’の前側の辺及び後ろ側の辺は、上側から見たときに、コイル導体層３４ａとは重なっていない。また、直列コイル導体層３６’の右側の辺及び左側の辺は、上側から見たときに、コイル導体層３４ａの最も外周側の部分と重なっている。
【０１５４】
層間接続導体ｖ１は、絶縁体層２６ｃ〜２６ｅを上下方向に貫通していると共に、絶縁体層２６ｆの上面上に設けられている導体であり、コイル導体層３０ａと直列コイル導体層３６’とを電気的に直列に接続している。
【０１５５】
また、引き出し導体層６０（第１の引き出し導体層の一例）は、直列コイル導体層３６’が設けられている絶縁体層２６ｃの上面上に設けられている。そして、引き出し導体層６０は、上側から見たときに、直列コイル導体層３６’の外側に設けられている。本実施例では、引き出し導体層６０は、上側から見たときに、直列コイル導体層３６’に対して後ろ側に設けられている。電子部品１０ｅの引き出し導体層６０の形状と電子部品１０の引き出し導体層６０の形状とは同じである。
【０１５６】
引き出し導体層６４（第２の引き出し導体層の一例）は、直列コイル導体層３６が設けられている絶縁体層２６ｃの上面上に設けられている。そして、引き出し導体層６４は、上側から見たときに、直列コイル導体層３６’の外側に設けられている。本実施例では、引き出し導体層６４は、上側から見たときに、直列コイル導体層３６’に対して前側に設けられている。電子部品１０ｅの引き出し導体層６４の形状と電子部品１０の引き出し導体層６４の形状とは同じである。
【０１５７】
なお、電子部品１０ｅの本体１２、外部電極１４ａ〜１４ｆ、接続部１６ａ〜１６ｆ、引き出し部５０〜５５、２次コイルＬ２及び３次コイルＬ３は、電子部品１０の本体１２、外部電極１４ａ〜１４ｆ、接続部１６ａ〜１６ｆ、引き出し部５０〜５５、２次コイルＬ２及び３次コイルＬ３と実質的に同じ構造を有している。従って、これらの構成の説明については省略する。
【０１５８】
以上のような電子部品１０ｅにおいても、電子部品１０と同じ作用効果を奏することができる。より詳細には、電子部品１０ｅによれば、電子部品１０と同様に、差動インピーダンス１−２、差動インピーダンス２−３及び差動インピーダンス３−１の差異を低減することができる。また、電子部品１０ｅによれば、電子部品１０と同様に、１次コイルＬ１〜３次コイルＬ３の発熱量を近づけることが可能となる。また、電子部品１０ｅによれば、電子部品１０と同様に、実装時に電子部品１０ｅの方向を識別する必要がなくなり、方向識別マークが不要となる。また、電子部品１０ｅが実装される回路基板の配線レイアウトが電子部品１０ｅによって制限されない。また、電子部品１０ｅによれば、コイル導体層３０ａの発熱量と直列コイル導体層３６の発熱量とを近づけることができる。電子部品１０と同様に、電子部品１０ｅを容易に製造できる。
【０１５９】
また、電子部品１０ｅによれば、以下に説明するように、低背化が図られる。より詳細には、引き出し導体層６０，６４は、直列コイル導体層３６と同じ絶縁体層２６ｃの上面上に設けられている。これにより、コイル導体層３０ａ，３２ａ，３４ａ、直列コイル導体層３６及び引き出し導体層６０，６４を４つの絶縁体層２６ｃ〜２６ｆの上面上に設けることが可能となる。その結果、電子部品１０ｅの低背化が図られる。
【０１６０】
本願発明者は、電子部品１０ｅにおいて、差動インピーダンス１−２、差動インピーダンス２−３及び差動インピーダンス３−１の差異が低減されることを明らかにするために、以下に説明するコンピュータシミュレーションを行った。本願発明者は、実施例に係る第６のモデルとして、電子部品１０ｅと同じ構造を有するモデルを作成した。そして、第６のモデルにおいて、差動インピーダンス１−２、差動インピーダンス２−３及び差動インピーダンス３−１を演算した。演算にあたって、例えば、差動インピーダンス１−２を演算する際には、１次コイルＬ１と２次コイルＬ２とに差動信号を入力し、３次コイルＬ３を接地電位に対して５０Ωで終端した。
【０１６１】
図２８は、第６のモデルのシミュレーション結果を示したグラフである。図２８において、縦軸は差動インピーダンスを示し、横軸は周波数を示す。
【０１６２】
図２８に示すように、第６のモデルでは、差動インピーダンス１−２と、差動インピーダンス２−３と、差動インピーダンス３−１とは、低周波帯から自己共振点までの範囲において、比較的に近い値が得られていることが分かる。よって、電子部品１０ｅでは、差動インピーダンス１−２、差動インピーダンス２−３及び差動インピーダンス３−１の差異が低減されることが分かる。
【０１６３】
なお、第６のモデルでは、直列コイル導体層３６’が１周分の長さしか有していない。そのため、第６のモデルでは第３のモデルよりも、コイル導体層３４ａ（３次コイルＬ３）と直列コイル導体層３６（１次コイルＬ１）との間に形成される容量が小さくなる。そのため、第６のモデルの差動インピーダンス３−１は、第３のモデルの差動インピーダンス３−１よりも大きくなる。ただし、第６のモデルの差動インピーダンス３−１は、第２のモデルの差動インピーダンス３−１よりも小さい。故に、電子部品１０ｅでは、差動インピーダンス１−２、差動インピーダンス２−３及び差動インピーダンス３−１の差異が低減されている。
【０１６４】
ところで、電子部品１０，１０ａ〜１０ｅは、回路基板に実装されて用いられることが一般的である。この場合、１次コイルＬ１に第１の信号線が接続され、２次コイルＬ２に第２の信号線が接続され、３次コイルＬ３に第３の信号線が接続される。第１の信号線と第２の信号線との差動インピーダンスを外部差動インピーダンス１−２と呼び、第２の信号線と第３の信号線との差動インピーダンスを外部差動インピーダンス２−３と呼び、第３の信号線と第１の信号線との差動インピーダンスを外部差動インピーダンス３−１と呼ぶ。回路基板の構造によっては、外部差動インピーダンス１−２と外部差動インピーダンス２−３と外部差動インピーダンス３−１とが等しくならない場合がある。例えば、外部差動インピーダンス３−１と外部差動インピーダンス１−２及び外部差動インピーダンス２−３との差が相対的に大きくなる場合や相対的に小さくなる場合がある。
【０１６５】
外部差動インピーダンス３−１と外部差動インピーダンス１−２及び外部差動インピーダンス２−３との差が相対的に大きい場合には、電子部品１０ｅ（第６のモデル）を用いることが好ましい。電子部品１０ｅ（第６のモデル）では、差動インピーダンス３−１が差動インピーダンス１−２及び差動インピーダンス２−３よりも大きくなっているため、回路基板の差動インピーダンスと電子部品１０ｅとの差動インピーダンスとが整合しやすくなる。
【０１６６】
一方、外部差動インピーダンス３−１と外部差動インピーダンス１−２及び外部差動インピーダンス２−３との差が相対的に小さい場合には、電子部品１０，１０ａ〜１０ｄを用いることが好ましい。電子部品１０，１０ａ〜１０ｄでは、差動インピーダンス３−１、差動インピーダンス１−２及び差動インピーダンス２−３との差異が小さいため、回路基板の差動インピーダンスと電子部品１０ｅの差動インピーダンスとが整合しやすくなる。このように、電子部品１０，１０ａ〜１０ｅを回路基板の外部差動インピーダンス１−２，２−３，３−１に応じて選択することができる。
【０１６７】
なお、電子部品１０ｅは、電子部品１０ａと同様に、ｎ個（ｎは自然数）のコイル導体群を有していてもよい。以下に、電子部品１０ｅがｎ個のコイル導体層群Ｇａ，Ｇｂ…を有している場合について説明する。
【０１６８】
電子部品１０ｅがｎ個のコイル導体層群Ｇａ，Ｇｂ…を有している場合には、１次コイルＬ１は、渦巻状をなすｎ個のコイル導体層３０ａ，３０ｂ…及び渦巻状をなす直列コイル導体層３６を含む。２次コイルＬ２は、渦巻状をなすｎ個のコイル導体層３２ａ，３２ｂ…を含む。３次コイルＬ３は、渦巻状をなすｎ個のコイル導体層３４ａ，３４ｂ…を含む。そして、コイル導体層３０ａ，３２ａ，３４ａが１つずつ下側から上側へとこの順に並ぶことにより１つのコイル導体層群Ｇａが構成されている。コイル導体層３０ｂ，３２ｂ，３４ｂが１つずつ下側から上側へとこの順に並ぶことにより１つのコイル導体層群Ｇｂが構成されている。コイル導体層群Ｇａ，Ｇｂと同じように、コイル導体層群Ｇｃ以降のコイル導体層群が構成されている。そして、ｎ個のコイル導体層群Ｇａ，Ｇｂ…は、下側から上側へとこの順に並んでいる。
【０１６９】
直列コイル導体層３６は、ｎ個のコイル導体層３０ａ，３０ｂ…に対して電気的に直列に接続されている。更に、直列コイル導体層３６は、ｎ個のコイル導体層３４ａ，３４ｂ…の内の最も上側に設けられているコイル導体層３４※（※はｎ番目のアルファベット）に対して上側に設けられている。
【０１７０】
ここで、ｎが奇数である。この場合には、コイル導体層３０ａ，３０ｂ…はそれぞれ、第１の１次コイル導体層ないし第ｎの１次コイル導体層である。そして、第ｍ（ｍは、１以上ｎ以下の奇数の全て）の１次コイル導体層は、上側から見たときに時計回りに周回しながら外周側から内周側に向かう渦巻状をなしている。第ｋ（ｋは、２以上ｎ−１以下の偶数の全て）の１次コイル導体層及び直列コイル導体層３６は、上側から見たときに時計回りに周回しながら内周側から外周側に向かう渦巻状をなしている。そして、第１の１次コイル導体層ないし第ｎの１次コイル導体層及び１次コイル導体層は、この順に電気的に直列に接続されている。
【０１７１】
また、コイル導体層３２ａ，３２ｂ…はそれぞれ、第１の２次コイル導体層ないし第ｎの２次コイル導体層である。そして、第ｍ（ｍは、１以上ｎ以下の奇数の全て）の２次コイル導体層は、上側から見たときに時計回りに周回しながら外周側から内周側に向かう渦巻状をなしている。第ｋ（ｋは、２以上ｎ−１以下の偶数の全て）の２次コイル導体層は、上側から見たときに時計回りに周回しながら内周側から外周側に向かう渦巻状をなしている。そして、第１の２次コイル導体層ないし第ｎの２次コイル導体層は、この順に電気的に直列に接続されている。
【０１７２】
また、コイル導体層３４ａ，３４ｂ…はそれぞれ、第１の３次コイル導体層ないし第ｎの３次コイル導体層である。そして、第ｍ（ｍは、１以上ｎ以下の奇数の全て）の３次コイル導体層は、上側から見たときに時計回りに周回しながら外周側から内周側に向かう渦巻状をなしている。第ｋ（ｋは、２以上ｎ−１以下の偶数の全て）の３次コイル導体層は、上側から見たときに時計回りに周回しながら内周側から外周側に向かう渦巻状をなしている。そして、第１の３次コイル導体層ないし第ｎの３次コイル導体層は、この順に電気的に直列に接続されている。
【０１７３】
また、引き出し導体層６０，６４は、直列コイル導体層３６’が設けられている絶縁体層２６ｃの上面上に設けられ、上側から見たときに、直列コイル導体層３６’の外周側に設けられている。
【０１７４】
（第６の変形例）
以下に、第６の変形例に係る電子部品１０ｆの構成について図面を参照しながら説明する。電子部品１０ｆの外観斜視図は、電子部品１０と同じであるので、図１を援用する。図２９は、電子部品１０ｆの断面構造図である。図２９では、図１のＡ−Ａに相当する部分おける電子部品１０ｆの断面構造を示した。
【０１７５】
電子部品１０ｆは、ダミー導体層１００を備えている点において、電子部品１０ｂと相違する。以下に、かかる相違点を中心に電子部品１０ｆについて説明する。
【０１７６】
ダミー導体層１００は、コイル導体層３０ａ（所定の第１のコイル導体層の一例）が設けられている絶縁体層２６ｆの上面上に設けられている。また、ダミー導体層１００は、コイル導体層３０ａと上下方向に隣り合うコイル導体層３２ａにおいて、コイル導体層３０ａと重なっていない部分の少なくとも一部と重なっている。本実施例では、ダミー導体層１００は、上側から見たときに、コイル導体層３２ａの内周側の２周分と重なっている。また、ダミー導体層１００は、他の導体（コイル導体層３０ａ，３２ａ，３４ａ及び直列コイル導体層３６）とは電気的に接続されていない。そのため、ダミー導体層１００の電位は、浮遊電位である。
【０１７７】
以上のような電子部品１０ｆにおいても、電子部品１０ｂと同じ作用効果を奏することができる。より詳細には、電子部品１０ｆによれば、電子部品１０ｂと同様に、差動インピーダンス１−２、差動インピーダンス２−３及び差動インピーダンス３−１の差異を低減することができる。また、電子部品１０ｆによれば、電子部品１０ｂと同様に、１次コイルＬ１〜３次コイルＬ３の発熱量を近づけることが可能となる。また、電子部品１０ｆによれば、電子部品１０ｂと同様に、実装時に電子部品１０ｆの方向を識別する必要がなくなり、方向識別マークが不要となる。また、電子部品１０ｆが実装される回路基板の配線レイアウトが電子部品１０ｆによって制限されない。また、電子部品１０ｆによれば、コイル導体層３０ａの発熱量と直列コイル導体層３６の発熱量とを近づけることができる。電子部品１０ｂと同様に、電子部品１０ｆを容易に製造できる。
【０１７８】
更に、電子部品１０ｆでは、積層体２２の上面及び下面の平坦性が向上する。より詳細には、ダミー導体層１００は、コイル導体層３２ａにおいて、コイル導体層３０ａと重なっていない部分の少なくとも一部と重なっている。これにより、コイル導体層３２ａの各周の下側には、コイル導体層３０ａ又はダミー導体層１００のいずれかが存在するようになる。よって、積層体２２の上面及び下面においてコイル導体層３２ａの外周側の２周分と重なる部分と、積層体２２の上面及び下面においてコイル導体層３２ａの内周側の２周分と重なる部分との間において、積層体２２の上下方向の厚みの差が生じにくくなる。その結果、電子部品１０ｆでは、積層体２２の上面及び下面の平坦性が向上する。
【０１７９】
なお、電子部品１０ｆは、１つのコイル導体層群Ｇａを有しているが、３つ以上のコイル導体群を有していてもよい。以下に、電子部品１０ｆがｎ個（ｎは自然数）のコイル導体層群Ｇａ，Ｇｂ…を有している場合について説明する。
【０１８０】
電子部品１０ｆがｎ個のコイル導体層群Ｇａ，Ｇｂ…を有している場合には、ダミー導体層１００は、コイル導体層３２ａ（ｎ個の２次コイル導体層の内の前記積層方向の最も一方側に位置する２次コイル導体層の一例）において、コイル導体層３０ａ（ｎ個の１次コイル導体層の内の前記積層方向の最も一方側に位置する１次コイル導体層の一例）と重なっていない部分の少なくとも一部と重なっていればよい。
【０１８１】
なお、ダミー導体層１００は、コイル導体層３４ａ（積層方向の最も他方側に位置する３次コイル導体層の一例）において、コイル導体層３２ａと重なっていない部分の少なくとも一部と重なっていてもよい。ダミー導体層１００は、直列コイル導体層３６と同じ絶縁体層上に設けられていてもよい。
【０１８２】
（その他の実施形態）
本発明に係る電子部品は、電子部品１０，１０ａ〜１０ｆに限らず、その要旨の範囲内において変更可能である。
【０１８３】
なお、電子部品１０，１０ａ〜１０ｆの構成を任意に組み合わせてもよい。
【０１８４】
なお、電子部品１０，１０ａ〜１０ｆは、フォトリソグラフィ工法により作製されているが、例えば、コイル導体層が印刷された絶縁体層を積層する積層工法により作成されてもよい。
【０１８５】
なお、電子部品１０，１０ａ〜１０ｆの導体層は、サブトラクティブ法により形成されているが、例えば、セミアディディブ法により形成されてもよい。また、電子部品１０，１０ａ〜１０ｆの導体層では、Ａｇ膜の代わりにＴｉ−Ｃｕ膜が用いられてもよい。
【産業上の利用可能性】
【０１８６】
以上のように、本発明は、電子部品に有用であり、特に、３つのコイルを備えたコモンモードフィルタにおいて、各コイル間の差動インピーダンスの差異を低減することができる点において優れている。
【符号の説明】
【０１８７】
１０，１０ａ〜１０ｆ：電子部品
１２：本体
１４ａ〜１４ｆ：外部電極
１６ａ〜１６ｆ：接続部
２２：積層体
２６ａ〜２６ｆ：絶縁体層
３０ａ〜３０ｃ，３２ａ〜３２ｃ，３４ａ〜３４ｃ：コイル導体層
３６，３６’：直列コイル導体層
４０，４２，４４，４６：引き出し導体層
５０〜５５：引き出し部
６０，６４：引き出し導体層
７０ａ〜７０ｆ：接続導体
１００：ダミー導体層
Ｇａ〜Ｇｃ：コイル導体層群
Ｌ１：１次コイル
Ｌ２：２次コイル
Ｌ３：３次コイル
ｖ１〜ｖ３：層間接続導体
【図１】
0006558302.tif 000005
【図２】
0006558302.tif 000006
【図３】
0006558302.tif 000007
【図４】
0006558302.tif 000008
【図５】
0006558302.tif 000009
【図６】
0006558302.tif 000010
【図７】
0006558302.tif 000011
【図８】
0006558302.tif 000012
【図９】
0006558302.tif 000013
【図１０】
0006558302.tif 000014
【図１１】
0006558302.tif 000015
【図１２】
0006558302.tif 000016
【図１３】
0006558302.tif 000017
【図１４】
0006558302.tif 000018
【図１５】
0006558302.tif 000019
【図１６】
0006558302.tif 000020
【図１７】
0006558302.tif 000021
【図１８】
0006558302.tif 000022
【図１９】
0006558302.tif 000023
【図２０】
0006558302.tif 000024
【図２１】
0006558302.tif 000025
【図２２】
0006558302.tif 000026
【図２３】
0006558302.tif 000027
【図２４】
0006558302.tif 000028
【図２５】
0006558302.tif 000029
【図２６】
0006558302.tif 000030
【図２７】
0006558302.tif 000031
【図２８】
0006558302.tif 000032
【図２９】
0006558302.tif 000033
【図３０】
0006558302.tif 000034